(57)【要約】  ネットワーク事業者は、ネットワーク事業者に関連するワイヤレスノード(たとえば、基地局)に対するアクセスを同期させることができる。しかしながら、ネットワーク事業者のグループの各ネットワーク事業者は、そのグループの中でアクセスを同期させることができない。ワイヤレス通信システムの共有チャネルを利用することを意図するネットワーク事業者間の同期の欠如により、すべての利用可能なネットワークリソースを利用することができない可能性がある。いくつかの態様では、複数のネットワーク事業者のうちの第1のネットワーク事業者に関連するデバイスは、他のネットワーク事業者がより高い優先度を有するチャネルの送信機会の間隔のセットの間に、共有無線周波数スペクトル帯域内で複数のネットワーク事業者のうちの他のネットワーク事業者に関連する通信をリスン処理することができ、そのチャネルを使用して、通信のリスン処理に少なくとも部分的に基づいて、ネットワーク事業者に関連するワイヤレスノードと通信することができる。
2019533942.tif 000002
【特許請求の範囲】
【請求項１】
複数のネットワーク事業者のうちの第1のネットワーク事業者に関連するデバイスによるワイヤレス通信の方法であって、
複数のチャネルのうちの第1のチャネルを識別するステップであって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、識別するステップと、
前記複数のチャネルのうちの第2のチャネルを識別するステップであって、前記第2のネットワーク事業者が、前記第1のネットワーク事業者に優先して前記第2のチャネルを使用する優先度を有する、識別するステップと、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理するステップと、
前記第2のチャネルを使用して、通信の前記リスン処理に少なくとも部分的に基づいて前記第1のネットワーク事業者に関連するワイヤレスノードと通信するステップと
を含む、方法。
【請求項２】
前記第1のネットワーク事業者が、ネットワークオペレーティングエンティティコーディネータによって前記第1のチャネルに対する複数の優先度の最高優先度として割り当てられる、請求項1に記載の方法。
【請求項３】
前記TXOPの間隔の前記セットのサブセットが、前記第2のチャネルに対する前記複数のネットワーク事業者の優先度のセットに少なくとも部分的に基づいて順序付けられる、請求項1に記載の方法。
【請求項４】
前記リスン処理するステップが、
優先度の前記セットのうち、前記第2のチャネルに対する前記第1のネットワーク事業者の優先度に対応する間隔にわたって待機するステップと、
前記第2のチャネルに対する前記第1のネットワーク事業者の前記優先度に対応する前記間隔にわたって前記待機する間に、前記通信をリスン処理するステップと
を含む、請求項3に記載の方法。
【請求項５】
優先度の前記セットのうち、前記第2のチャネルに対する前記第1のネットワーク事業者の優先度に対応する特定の間隔の間に送信するステップ
をさらに含む、請求項3に記載の方法。
【請求項６】
前記リスン処理するステップが、
前記第1のネットワーク事業者の前記優先度よりも前記第2のチャネルに対してより高い優先度を有する、前記複数のネットワーク事業者のうちの他のネットワーク事業者のサブセットに関連する通信をリスン処理するステップ
を含む、請求項1に記載の方法。
【請求項７】
前記リスン処理するステップが、
前記複数のネットワーク事業者が前記複数のチャネルのチャネルのセット上で無音である期間の間にリスン処理するステップ
をさらに含み、
チャネルの前記セットが前記第1のチャネルを含む、請求項1に記載の方法。
【請求項８】
間隔の前記セットが、送信期間とギャップ期間とを含む、請求項1に記載の方法。
【請求項９】
前記リスン処理に少なくとも部分的に基づいて、前記第2のチャネルの前記TXOPの間隔の前記セットの間に前記1つまたは複数のネットワーク事業者からの通信の不在を判定するステップと、
前記判定に少なくとも部分的に基づいて、前記第2のチャネルの前記TXOPの間隔の他のセットの間に通信するステップと
をさらに含む、請求項1に記載の方法。
【請求項１０】
前記TXOPの間隔の前記他のセットの間に前記通信するステップが、
前記ワイヤレスノードとのデータ、または
前記ワイヤレスノードと前記データを通信する意図の指示
のうちの少なくとも1つを通信するステップを含む、請求項9に記載の方法。
【請求項１１】
前記リスン処理に少なくとも部分的に基づいて、前記第2のチャネルに対するより高い優先度を有する、前記1つまたは複数の他のネットワーク事業者のうちの他のネットワーク事業者からのシグナリングを識別するステップであって、
前記シグナリングが、前記他のネットワーク事業者が、通信のために前記第2のチャネルの前記TXOPの間隔の他のセットを使用しないことを示す、
識別するステップと、
前記シグナリングに少なくとも部分的に基づいて、前記第2のチャネルの前記TXOPの間隔の前記他のセットの間に通信するステップと
をさらに含む、請求項1に記載の方法。
【請求項１２】
前記第2のチャネルを使用して通信が生じることになることを、前記複数のネットワーク事業者のうちの他のネットワーク事業者に示すステップ
をさらに含み、
前記他のネットワーク事業者が、前記第2のチャネルに対して前記第1のネットワーク事業者よりも低い優先度を有する、請求項1に記載の方法。
【請求項１３】
前記第1のチャネルを使用して通信が生じないことになることを、前記複数のネットワーク事業者のうちの他のネットワーク事業者に示すステップ
をさらに含み、
前記他のネットワーク事業者が、前記第1のチャネルに対して前記第1のネットワーク事業者よりも低い優先度を有する、請求項1に記載の方法。
【請求項１４】
前記第1のチャネルが第1の帯域に関連付けられ、前記第2のチャネルが第2の帯域に関連付けられ、
前記第1の帯域が前記第2の帯域とは異なる、請求項1に記載の方法。
【請求項１５】
前記第1のチャネルおよび前記第2のチャネルが共通帯域を共有する、請求項1に記載の方法。
【請求項１６】
複数のネットワーク事業者のうちの第1のネットワーク事業者に関連するデバイスであって、
メモリと、
前記メモリに結合された1つまたは複数のプロセッサとを含み、前記メモリおよび前記1つまたは複数のプロセッサが、
複数のチャネルのうちの第1のチャネルを識別することであって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、識別することと、
前記複数のチャネルのうちの第2のチャネルを識別することであって、前記第2のネットワーク事業者が、前記第1のネットワーク事業者に優先して前記第2のチャネルを使用する優先度を有する、識別することと、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理することと、
前記第2のチャネルを使用して、通信の前記リスン処理に少なくとも部分的に基づいて前記第1のネットワーク事業者に関連するワイヤレスノードと通信することと
を行うように構成される、デバイス。
【請求項１７】
前記第1のネットワーク事業者が、ネットワークオペレーティングエンティティコーディネータによって前記第1のチャネルに対する複数の優先度の最高優先度として割り当てられる、請求項16に記載のデバイス。
【請求項１８】
前記TXOPの間隔の前記セットのサブセットが、前記第2のチャネルに対する前記複数のネットワーク事業者の優先度のセットに少なくとも部分的に基づいて順序付けられる、請求項16に記載のデバイス。
【請求項１９】
前記1つまたは複数のプロセッサが、リスン処理の間に、
優先度の前記セットのうち、前記第2のチャネルに対する前記第1のネットワーク事業者の優先度に対応する間隔にわたって待機し、
前記第2のチャネルに対する前記第1のネットワーク事業者の前記優先度に対応する前記間隔にわたって前記待機する間に、前記通信をリスン処理する
ようにさらに構成される、請求項18に記載のデバイス。
【請求項２０】
前記1つまたは複数のプロセッサが、
優先度の前記セットのうち、前記第2のチャネルに対する前記第1のネットワーク事業者の優先度に対応する特定の間隔の間に送信する
ようにさらに構成される、請求項18に記載のデバイス。
【請求項２１】
複数のネットワーク事業者のうちの第1のネットワーク事業者に関連するワイヤレス通信のための装置であって、
複数のチャネルのうちの第1のチャネルを識別するための手段であって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、識別するための手段と、
前記複数のチャネルのうちの第2のチャネルを識別するための手段であって、前記第2のネットワーク事業者が、前記第1のネットワーク事業者に優先して前記第2のチャネルを使用する優先度を有する、識別するための手段と、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理するための手段と、
前記第2のチャネルを使用して、通信の前記リスン処理に少なくとも部分的に基づいて前記第1のネットワーク事業者に関連するワイヤレスノードと通信するための手段と
を含む、装置。
【請求項２２】
前記第1のネットワーク事業者が、ネットワークオペレーティングエンティティコーディネータによって前記第1のチャネルに対する複数の優先度の最高優先度として割り当てられる、請求項21に記載の装置。
【請求項２３】
前記TXOPの間隔の前記セットのサブセットが、前記第2のチャネルに対する前記複数のネットワーク事業者の優先度のセットに少なくとも部分的に基づいて順序付けられる、請求項21に記載の装置。
【請求項２４】
前記リスン処理するための手段が、
優先度の前記セットのうち、前記第2のチャネルに対する前記第1のネットワーク事業者の優先度に対応する間隔にわたって待機するための手段と、
前記第2のチャネルに対する前記第1のネットワーク事業者の前記優先度に対応する前記間隔にわたって前記待機する間に、前記通信をリスン処理するための手段と
を含む、請求項23に記載の装置。
【請求項２５】
優先度の前記セットのうち、前記第2のチャネルに対する前記第1のネットワーク事業者の優先度に対応する特定の間隔の間に送信するための手段
をさらに含む、請求項23に記載の装置。
【請求項２６】
ワイヤレス通信のための命令を記憶したコンピュータ可読記憶媒体であって、前記命令が、
1つまたは複数の命令を含み、前記1つまたは複数の命令が、複数のネットワーク事業者のうちの第1のネットワーク事業者に関連するデバイスの1つまたは複数のプロセッサによって実行されると、前記1つまたは複数のプロセッサに、
複数のチャネルのうちの第1のチャネルを識別することであって、前記複数のチャネルが、共有無線周波数スペクトル帯域内で前記複数のネットワーク事業者によって共有され、前記第1のネットワーク事業者が、前記複数のネットワーク事業者のうちの第2のネットワーク事業者に優先して前記第1のチャネルを使用する優先度を有する、識別することと、
前記複数のチャネルのうちの第2のチャネルを識別することであって、前記第2のネットワーク事業者が、前記第1のネットワーク事業者に優先して前記第2のチャネルを使用する優先度を有する、識別することと、
前記第2のチャネルの送信機会(TXOP)の間隔のセットの間に、前記複数のネットワーク事業者のうちの1つまたは複数の他のネットワーク事業者に関連するプリアンブル、送信要求(RTS)/送信可(CTS)交換、またはエネルギーに対応する通信をリスン処理することと、
前記第2のチャネルを使用して、通信の前記リスン処理に少なくとも部分的に基づいて前記第1のネットワーク事業者に関連するワイヤレスノードと通信することと
を行わせる、コンピュータ可読記憶媒体。
【請求項２７】
前記第1のネットワーク事業者が、ネットワークオペレーティングエンティティコーディネータによって前記第1のチャネルに対する複数の優先度の最高優先度として割り当てられる、請求項26に記載のコンピュータ可読記憶媒体。
【請求項２８】
前記TXOPの間隔の前記セットのサブセットが、前記第2のチャネルに対する前記複数のネットワーク事業者の優先度のセットに少なくとも部分的に基づいて順序付けられる、請求項26に記載のコンピュータ可読記憶媒体。
【請求項２９】
前記1つまたは複数のプロセッサにリスン処理させる前記1つまたは複数の命令が、前記1つまたは複数のプロセッサに、
優先度の前記セットのうち、前記第2のチャネルに対する前記第1のネットワーク事業者の優先度に対応する間隔にわたって待機させることと、
前記第2のチャネルに対する前記第1のネットワーク事業者の前記優先度に対応する前記間隔にわたって前記待機する間に、前記通信をリスン処理させることと、
を行わせる、請求項28に記載のコンピュータ可読記憶媒体。
【請求項３０】
前記1つまたは複数の命令が、前記1つまたは複数のプロセッサによって実行されると、前記1つまたは複数のプロセッサにさらに、
優先度の前記セットのうち、前記第2のチャネルに対する前記第1のネットワーク事業者の優先度に対応する特定の間隔の間に送信させる、請求項28に記載のコンピュータ可読記憶媒体。
【発明の詳細な説明】
【技術分野】
【０００１】
以下は、概してワイヤレス通信に関し、より詳細には、共有スペクトル上の周波数分割多重(FDM)ベースの媒体アクセスのための技法および装置に関する。
【背景技術】
【０００２】
ワイヤレス通信システムは、音声、映像、パケットデータ、メッセージング、放送などの様々なタイプの通信コンテンツを提供するために広く展開されている。これらのシステムは、利用可能なシステムリソース(たとえば、時間、周波数、および電力)を共有することによって複数のユーザとの通信をサポートすることが可能である場合がある。そのような多元接続システムの例としては、符号分割多元接続(CDMA)システム、時分割多元接続(TDMA)システム、周波数分割多元接続(FDMA)システム、および直交周波数分割多元接続(OFDMA)システム、(たとえば、ロングタームエボリューション(LTE)システム、ニューラジオ共有スペクトル(NR-SS)システムなど)がある。ワイヤレス多元接続通信システムは、場合によってはユーザ機器(UE)として知られていることがある複数のワイヤレス通信デバイスのための通信を各々が同時にサポートする、いくつかの基地局を含み得る。
【０００３】
ワイヤレス通信システムは、共有スペクトルを介して動作することができ、これは、ワイヤレス通信システムが、複数のネットワーク事業者(たとえば、複数のネットワークオペレーティングエンティティ)によって共有され得る1つまたは複数の周波数帯域を含むことを意味する。場合によっては、周波数帯域の共有は、周波数帯域を特定のネットワーク事業者による使用専用の一層小さな帯域に再分割することを含み得る。他の場合には、帯域スペクトルの少なくとも部分が2つ以上のネットワーク事業者による使用のために利用可能であり得る。
【０００４】
ネットワーク事業者は、ネットワーク事業者に関連するワイヤレスノード(たとえば、基地局)に対するアクセスを同期させることができる。しかしながら、ネットワーク事業者のグループの各ネットワーク事業者は、そのグループの中でアクセスを同期させることができない。たとえば、第1のネットワーク事業者は、第1のチャネルの利用に対して第1のタイミングを利用することができ、第2のネットワーク事業者は、第2のチャネルの利用に対して第2のタイミングを利用することができる。利用可能な帯域スペクトルの使用は、媒体検知手順の使用を必要とし得る競合手順の対象となり得る。たとえば、異なるネットワーク事業者によって動作させられる異なるデバイス間の干渉を回避するために、ワイヤレス通信システムは、メッセージを送信する前に特定のチャネルがクリアであることを確実にするために、リッスンビフォアトーク(LBT:listen-before-talk)などの媒体検知手順を採用することができる。ワイヤレス通信システムの共有チャネルを利用することを意図するネットワーク事業者間の同期の欠如により、すべての利用可能なネットワークリソースを利用することができない可能性がある。したがって、ネットワーク事業者間で共有スペクトルを割り振りして使用するための改善された手順が望ましい。
【発明の概要】
【課題を解決するための手段】
【０００５】
説明する技法は、共有スペクトル内のネットワーク事業者のグループに対する部分的に同期されたアクセスを可能にするためのワイヤレス通信システムのリソースの割当を実現する。リソースの割当は、各チャネルの使用に対する優先度を各ネットワーク事業者に割り当てるステップを含み得る。たとえば、チャネルの独占的使用のための最高優先度、チャネルの日和見的使用のためのより低い優先度など、チャネルのセットに対する優先度がネットワーク事業者に割り当てられてよく、ネットワーク事業者は、1つまたは複数の他のネットワーク事業者の1つまたは複数の他の優先度に対するそのネットワーク事業者の優先度に少なくとも部分的に基づいて、特定のチャネルを使用することを判定し得る。各ネットワーク事業者に対してこのように優先度を割り振ることによって、複数のネットワーク事業者は、干渉を低減させ、オーバヘッドをシグナリングすると同時に、共有スペクトルを介して効率的に通信することができる。
【０００６】
本開示の一態様では、方法、デバイス、装置、およびコンピュータプログラム製品が提供される。
【０００７】
いくつかの態様では、複数のネットワーク事業者のうちの第1のネットワーク事業者に関連するデバイスによるワイヤレス通信の方法は、複数のチャネルのうちの第1のチャネルを識別するステップであって、複数のチャネルが、共有無線周波数スペクトル帯域内で複数のネットワーク事業者によって共有され、第1のネットワーク事業者が、複数のネットワーク事業者のうちの第2のネットワーク事業者に優先して第1のチャネルを使用する優先度を有する、識別するステップを含み得る。この方法は、複数のチャネルのうちの第2のチャネルを識別するステップであって、第2のネットワーク事業者が、第1のネットワーク事業者に優先して第2のチャネルを使用する優先度を有する、識別するステップを含み得る。この方法は、第2のチャネルの送信機会(TXOP:transnission opportunity)の間隔のセットの間に、複数のネットワーク事業者のうちの1つまたは複数の他のネットワーク事業者に関連するプリアンブル、送信要求(RTS:request to send)/送信可(CTS:clear to send)交換、またはエネルギーに対応する通信をリスン処理するステップを含み得る。この方法は、第2のチャネルを使用して、通信のリスン処理に少なくとも部分的に基づいて第1のネットワーク事業者に関連するワイヤレスノードと通信するステップを含み得る。
【０００８】
いくつかの態様では、デバイスは、複数のネットワーク事業者のうちの第1のネットワーク事業者に関連付けられてよく、メモリとメモリに結合された1つまたは複数のプロセッサとを含み得る。このメモリおよび1つまたは複数のプロセッサは、複数のチャネルのうちの第1のチャネルを識別することであって、複数のチャネルが、共有無線周波数スペクトル帯域内で複数のネットワーク事業者によって共有され、第1のネットワーク事業者が、複数のネットワーク事業者のうちの第2のネットワーク事業者に優先して第1のチャネルを使用する優先度を有する、識別することを行うように構成され得る。このメモリおよび1つまたは複数のプロセッサは、複数のチャネルのうちの第2のチャネルを識別することであって、第2のネットワーク事業者が、第1のネットワーク事業者に優先して第2のチャネルを使用する優先度を有する、識別することを行うように構成され得る。このメモリおよび1つまたは複数のプロセッサは、第2のチャネルのTXOPの間隔のセットの間に、複数のネットワーク事業者のうちの1つまたは複数の他のネットワーク事業者に関連するプリアンブル、RTS/CTS交換、またはエネルギーに対応する通信をリスン処理するように構成され得る。このメモリおよび1つまたは複数のプロセッサは、第2のチャネルを使用して、通信のリスン処理に少なくとも部分的に基づいて第1のネットワーク事業者に関連するワイヤレスノードと通信するように構成され得る。
【０００９】
いくつかの態様では、この装置は、複数のネットワーク事業者のうちの第1のネットワーク事業者に関連付けられてよく、複数のチャネルのうちの第1のチャネルを識別するための手段であって、複数のチャネルが、共有無線周波数スペクトル帯域内で複数のネットワーク事業者によって共有され、第1のネットワーク事業者が、複数のネットワーク事業者のうちの第2のネットワーク事業者に優先して第1のチャネルを使用する優先度を有する、識別するための手段を含み得る。この装置は、複数のチャネルのうちの第2のチャネルを識別するための手段であって、第2のネットワーク事業者が、第1のネットワーク事業者に優先して第2のチャネルを使用する優先度を有する、識別するための手段を含み得る。この装置は、第2のチャネルのTXOPの間隔のセットの間に、複数のネットワーク事業者のうちの1つまたは複数の他のネットワーク事業者に関連するプリアンブル、RTS/CTS交換、またはエネルギーに対応する通信をリスン処理するための手段を含み得る。この装置は、第2のチャネルを使用して、通信のリスン処理に少なくとも部分的に基づいて第1のネットワーク事業者に関連するワイヤレスノードと通信するための手段を含み得る。
【００１０】
いくつかの態様では、コンピュータプログラム製品は、ワイヤレス通信のための1つまたは複数の命令を記憶した非一時的コンピュータ可読媒体を含むことができ、これらの命令は、複数のネットワーク事業者のうちの第1のネットワーク事業者に関連するデバイスの1つまたは複数のプロセッサによって実行されると、1つまたは複数のプロセッサに、複数のチャネルのうちの第1のチャネルを識別することであって、複数のチャネルが、共有無線周波数スペクトル帯域内で複数のネットワーク事業者によって共有され、第1のネットワーク事業者が、複数のネットワーク事業者のうちの第2のネットワーク事業者に優先して第1のチャネルを使用する優先度を有する、識別することを行わせる。この1つまたは複数の命令は、1つまたは複数のプロセッサに、複数のチャネルのうちの第2のチャネルを識別することであって、第2のネットワーク事業者が、第1のネットワーク事業者に優先して第2のチャネルを使用する優先度を有する、識別することを行わせることができる。この1つまたは複数の命令は、1つまたは複数のプロセッサに、第2のチャネルのTXOPの間隔のセットの間に、複数のネットワーク事業者のうちの1つまたは複数の他のネットワーク事業者に関連するプリアンブル、RTS/CTS交換、またはエネルギーに対応する通信をリスン処理させることができる。この1つまたは複数の命令は、1つまたは複数のプロセッサに、第2のチャネルを使用して、通信のリスン処理に少なくとも部分的に基づいて第1のネットワーク事業者に関連するワイヤレスノードと通信させることができる。
【図面の簡単な説明】
【００１１】
【図１】本開示の態様による、部分的に同期されたアクセスをサポートするワイヤレス通信のためのシステムの一例を示す図である。
【図２】本開示の態様による、部分的に同期されたアクセスをサポートするワイヤレス通信のためのシステムの一例を示す図である。
【図３】本開示の態様による、部分的に同期されたアクセスをサポートするデバイスのブロック図である。
【図４】本開示の態様による、部分的に同期されたアクセスをサポートするデバイスのブロック図である。
【図５】本開示の態様による、部分的に同期されたアクセスをサポートするデバイスのブロック図である。
【図６】本開示の態様による、部分的に同期されたアクセスをサポートするユーザ機器(UE)を含むシステムのブロック図である。
【図７】本開示の態様による、部分的に同期されたアクセスをサポートする基地局を含むシステムのブロック図である。
【図８】本開示の態様による、部分的に同期されたアクセスをサポートするダウンリンク(DL)セントリックサブフレームの一例を示す図である。
【図９】本開示の態様による、部分的に同期されたアクセスをサポートするアップリンク(UL)セントリックサブフレームの一例を示す図である。
【図１０】本開示の態様による、部分的に同期されたアクセスをサポートするプロセスフローの一例を示す図である。
【図１１Ａ】本開示の態様による、部分的に同期されたアクセスの一例を示す図である。
【図１１Ｂ】本開示の態様による、部分的に同期されたアクセスの一例を示す図である。
【図１２Ａ】本開示の態様による、部分的に同期されたアクセスの一例を示す図である。
【図１２Ｂ】本開示の態様による、部分的に同期されたアクセスの一例を示す図である。
【図１３】本開示の態様による、部分的に同期されたアクセスの一例を示す図である。
【図１４】本開示の態様による、部分的に同期されたアクセスのための方法を示す図である。
【図１５】本開示の態様による、部分的に同期されたアクセスのための方法を示す図である。
【発明を実施するための形態】
【００１２】
異なるネットワーク事業者(たとえば、ネットワークオペレーティングエンティティ)によって動作させられるワイヤレス通信システムは、スペクトルを共有し得る。ネットワーク事業者のグループの各ネットワーク事業者は、ワイヤレスノードのそれぞれのグループの間でワイヤレス通信システムのリソース(たとえば、共有スペクトル)に対するアクセスを同期させることができるが、ネットワーク事業者のグループは、グループ間のアクセスを同期しても、しなくてもよい。たとえば、第1のネットワーク事業者は、第1のタイミングを利用するワイヤレスノードのグループを含んでよく、第2のネットワーク事業者は、第2のタイミングを利用するワイヤレスノードのグループを含んでよい。したがって、ネットワーク事業者が完全な指定された共有スペクトルを使用することを可能にするために、かつ異なるネットワーク事業者間の通信の干渉を低減するために一定のタイプの通信のために異なるネットワーク事業者に対して一定のリソース(たとえば、チャネル)に優先順位を付けることができる。
【００１３】
たとえば、第1のネットワーク事業者に、第1のチャネルに対して第2のネットワーク事業者よりも高い優先度が割り振られてよく、第2のチャネルに対して第2のネットワーク事業者よりも低い優先度が割り振られてよい。第1のネットワーク事業者は、第2のネットワーク事業者が第2のチャネルを使用することを意図しているという確認を待機せずに、特定の送信機会(TXOP)の間に第1のチャネルを使用することができる。第1のネットワーク事業者は、第2のネットワーク事業者が第2のチャネルを使用していないこと、または第2のチャネルを使用する意図をシグナリングしていないことに少なくとも部分的に基づいて、特定のTXOPの間に第2のチャネルを日和見的に使用することができる。たとえば、第1のネットワーク事業者は、1つまたは複数の他のネットワーク事業者に関連する通信(たとえば、プリアンブル、送信要求(RTS)/送信可(CTS)交換、エネルギーなど)をリスン処理した後で、そのリスン処理に少なくとも部分的に基づいて、第2のチャネルを使用することができる。
【００１４】
共有スペクトルに対するアクセスおよび異なるネットワーク事業者間のチャネルリソースに対する優先度は、別個のエンティティによって中央制御されてよく、事前定義されたアービトレーション方式によって自律的に判定されよく、またはネットワーク事業者のワイヤレスノード(たとえば、基地局または基地局コントローラ)間の対話に少なくとも部分的に基づいて動的に判定されてもよい。
【００１５】
本明細書では3Gおよび/または4Gワイヤレス技術に一般的に関連する用語を使用して態様を説明する場合があるが、本開示の態様は、ニューラジオ(NR)技術(たとえば、ニューラジオ(NR)共有スペクトル(SS)システム(SS-NR))を含む、5G以降など、他の世代ベースの通信システムにおいて適用できることに留意されたい。
【００１６】
図1は、本開示の様々な態様による、ワイヤレス通信システム100の一例を示す。ワイヤレス通信システム100は、地理的カバレージエリア110内に位置する基地局105と、通信リンク125を介して基地局105と接続するユーザ機器(UE)115と、コアネットワーク130とを含む。いくつかの例では、ワイヤレス通信システム100は、共有スペクトルを介して動作する。共有スペクトルは、1つまたは複数のネットワーク事業者にとって免許不要であってよく、または部分的に免許必要されてよい。スペクトルに対するアクセスは、限定され得るか、または別個の協調エンティティによって制御され得る。いくつかの例では、ワイヤレス通信システム100は、ロングタームエボリューション(LTE)またはLTEアドバンストネットワークであり得る。さらに他の例では、ワイヤレス通信システム100は、ミリメートル波(mmW)システム、NR-SSシステム、5Gシステム、またはLTEの任意の他の後継システムであってよい。ワイヤレス通信システム100は、2つ以上のネットワーク事業者によって動作させられてもよい。ワイヤレスリソースは、ワイヤレス通信システム100を介したネットワーク事業者間の協調通信のために異なるネットワーク事業者間で区分化またはアービトレーションされ得る。
【００１７】
基地局105は、1つまたは複数の基地局アンテナを介してUE115とワイヤレス通信し得る。各基地局105は、それぞれの地理的カバレージエリア110に通信カバレージを提供し得る。ワイヤレス通信システム100内に示されている通信リンク125は、UE115から基地局105へのアップリンク(UL)送信、または基地局105からUE115へのダウンリンク(DL)送信を含み得る。UE115は、ワイヤレス通信システム100全体にわたって分散され得、各UE115は固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語で呼ばれることがある。UE115はまた、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、個人向け電子デバイス、ハンドヘルドデバイス、パーソナルコンピュータ、ワイヤレスローカルループ(WLL)局、モノのインターネット(IoT:Internet of things)デバイス、あらゆるモノのインターネット(IoE:Internet of Everything)デバイス、マシンタイプ通信(MTC)デバイス、家電機器、自動車、装着可能デバイスなどであり得る。
【００１８】
基地局105は、コアネットワーク130と、また互いと通信し得る。コアネットワーク130は、ユーザ認証、アクセス許可、トラッキング、インターネットプロトコル(IP)接続性、および他のアクセス機能、ルーティング機能、またはモビリティ機能を提供し得る。(たとえば、発展型NodeB(eNB)、NR次世代ノードB(gNB)、またはアクセスノードコントローラ(ANC)の一例であり得る)基地局105のうちの少なくとも一部は、バックホールリンク132(たとえば、S1リンク、S2リンクなど)を通してコアネットワーク130とインターフェースすることができ、UE115との通信のための無線構成およびスケジューリングを実行することができる。様々な例では、基地局105は、ワイヤード通信リンクまたはワイヤレス通信リンクであってよいバックホールリンク134(たとえば、X1リンク、X2リンクなど)を介して、直接または間接的に(たとえば、コアネットワーク130を通じて)のいずれかで互いに通信し得る。
【００１９】
各基地局105はまた、いくつかの他の基地局105を通していくつかのUE115と通信することができ、ここで、基地局105はスマート無線ヘッドの一例であり得る。代替構成では、各基地局105の様々な機能が、様々な基地局105(たとえば、無線ヘッドおよびアクセスネットワークコントローラ)に分散されること、または単一の基地局105に集約されることがある。
【００２０】
場合によっては、UE115および基地局105は、免許必要または免許不要周波数スペクトルを含み得る共有無線周波数スペクトル帯域内で動作し得る。共有無線周波数スペクトル帯域の免許不要周波数部分の中で、UE115または基地局105は、チャネルのグループのうちの少なくとも1つを使用して通信するためなど、周波数スペクトルに対するアクセスに競合するために媒体検知手順を実行することができる。たとえば、UE115または基地局105は、共有チャネルが利用可能であるかどうかを判定するために、通信するのに先立って、クリアチャネルアセスメント(CCA:clear channel assessment)などのリッスンビフォアトーク(LBT)手順を実行することができる。CCAは、任意の他のアクティブな送信があるかどうかを判定するためのエネルギー検出手順を含み得る。たとえば、デバイスは、電力メーターの受信信号強度インジケータ(RSSI)の変化が、チャネルが特定のTXOPのために占有されていることを示すと推論し得る。具体的には、一定の帯域幅内に集中し、所定の雑音フロアを超える信号電力は、他のワイヤレス送信機を示し得る。CCAはまた、チャネルの使用を示す特定のシーケンスの検出を含み得る。たとえば、他のデバイスは、データシーケンスを送信するのに先立って特定のプリアンブルを送信することができる。追加または代替として、第1の他のデバイスは送信要求(RTS)メッセージを送信することができ、第2の他のデバイスは、送信可(CTS)メッセージを送信することによって応答し得る。この場合、RTSメッセージの検出、CTSメッセージの検出、またはそれらの組合せに少なくとも部分的に基づいて、デバイスは、第1の他のデバイスおよび第2の他のデバイスがそのチャネルを使用することを意図しているか、またはそのチャネルを使用しているかを判定することができる。場合によっては、LBT手順は、ワイヤレスノードが、チャネル上で検出されたエネルギー量および/またはワイヤレスノードが衝突のプロキシとして送信するパケットに対する肯定応答/否定応答(ACK/NACK)フィードバックに少なくとも部分的に基づいてバックオフウィンドウを調整することを含み得る。
【００２１】
ワイヤレス通信システム100では、基地局105およびUE115は、同じネットワーク事業者または異なるネットワーク事業者に関連付けられ得る。いくつかの例では、個々の基地局105またはUE115は、2つ以上のネットワーク事業者に関連付けられ得る。他の例では、各基地局105またはUE115は、単一のネットワーク事業者によって動作させられ得る。異なるネットワーク事業者の各基地局105およびUE115が共有リソースを競合するが、タイミング同期がないとき、ネットワークリソース(たとえば、チャネル)の利用は非効率的であり得る。たとえば、基地局105および/またはUE115が、そのチャネルが他のネットワーク事業者によって利用されていないと判定できない結果として、チャネルを送信機会の間に利用できない可能性がある。その上、媒体検知手順の結果として、ネットワーク事業者は動作に必要なしきい値レベルのネットワークリソースを取得できず、ネットワーク性能を不十分にする可能性がある。たとえば、特定のネットワーク事業者は、利用するためのいずれかのネットワークリソース(たとえば、いずれかのチャネル)を受けることができない可能性がある。
【００２２】
したがって、いくつかの例では、ワイヤレス通信システム100は、複数のネットワーク事業者によって動作させられ、異なるネットワーク事業者がワイヤレススペクトル(たとえば、免許不要スペクトル)を共有することができる。本開示の態様によれば、協調された通信を円滑にするために、ネットワーク事業者間で共有されるリソース(たとえば、チャネル)の使用に対する優先度が各ネットワーク事業者に割り振られてよい。たとえば、ワイヤレス通信システム100では、基地局105-a-1はUE115-a-1と通信することができ、基地局105-a-1とUE115-a-1とは両方とも共通ネットワーク事業者に関連付けられ得る。基地局105-a-2はUE115-a-2と通信することができ、基地局105-a-2とUE115-a-2とは両方とも同様に異なる共通ネットワーク事業者に関連付けられ得る。ネットワーク事業者に従って共有スペクトルをチャネル区分すること(たとえば、周波数区分すること)によって、基地局105-a-1とUE115-a-1との間の通信、および基地局105-a-2とUE115-a-2との間の通信は、各々、共有スペクトルのそれぞれの部分上で生じ得る。そうするために、下記でより十分に説明するように、一定のリソース(たとえば、チャネル)は、それらの一定のリソースに対して異なるネットワーク事業者に割り当てられた優先度に少なくとも部分的に基づいて、異なるネットワーク事業者に割り振られてよい。
【００２３】
いくつかの例では、基地局105またはコアネットワーク130のエンティティが、ワイヤレス通信システム100内で動作している異なるネットワーク事業者間のリソースの優先度に対するアクセスを管理し、それを協調させるための中央アービトレータとして動作し得る。中央アービトレータは、いくつかの例では、スペクトルアクセスシステム(SAS)を含み得る。
【００２４】
上記に示したように、図1は、単なる一例として提供されている。他の例が可能であり、図1に関して説明したことと異なる場合がある。
【００２５】
図2は、部分的に同期されたアクセスをサポートするワイヤレス通信システム200の一例を示す。ワイヤレス通信システム200は、図1を参照しながら説明した対応するデバイスの例であり得る、基地局105-b-1、基地局105-b-2、UE115-b-1、およびUE115-b-2を含み得る。基地局105-b-1および基地局105-b-2は、本明細書で説明するように、通信リンク205、210、および/または215を介して、それらのそれぞれのカバレージエリア220および225内でUE115または他のワイヤレスデバイスと通信することができる。いくつかの例では、ワイヤレス通信システム200は、複数のネットワーク事業者によって動作させられ、異なるネットワーク事業者がワイヤレススペクトル(たとえば、免許不要スペクトル)を共有することができる。本開示の態様によれば、部分的に同期されたアクセスを円滑にするために、ネットワーク事業者間で共有されるリソース(たとえば、チャネル)をネットワーク事業者間で優先順位を付けることができる。
【００２６】
いくつかの態様では、基地局105-b-1は1つまたは複数のネットワーク事業者によって動作させられてもよい。たとえば、基地局105-b-1は、通信リンク205を介してUE115-b-1と通信するように第1のネットワーク事業者によって動作させられてよく、基地局105-b-1は、通信リンク210を介してUE115-b-2と通信するように第2のネットワーク事業者によって動作させられてよい。以下でより詳細に説明するように、UE115-b-1とUE115-b-2との間の通信の基地局105-b-1における協調は、第1のネットワーク事業者と第2のネットワークとの間で共有されるチャネルのセットに対する第1および第2のネットワーク事業者の優先度に少なくとも部分的に基づいてよい。
【００２７】
基地局105-b-2は1つまたは複数のネットワーク事業者によって動作させられ得る。いくつかの例では、基地局105-b-2は、通信リンク215を介してUE115-b-2と通信するために第3のネットワーク事業者によって動作させられる。この例では、UE115-b-2は、第2のネットワーク事業者と第3のネットワーク事業者の両方で動作するように構成され得る。基地局105-b-1と基地局105-b-2との間の通信のUE115-b-2における協調は、チャネルのセットに対する第2および第3のネットワーク事業者の優先度に少なくとも部分的に基づいてよい。
【００２８】
ワイヤレス通信システム200によって使用される共有スペクトルは、複数のネットワーク事業者間の優先順位付け方式を採用することによって効率的に使用され得る。たとえば、共有スペクトルは、周波数帯域のセットに対応するチャネルのセットに区分されてよく、チャネルのセットを使用するための優先度が異なるネットワーク事業者に割り当てられてよい。いくつかの例では、特定のネットワーク事業者に1次チャネルとして特定のチャネルを割り当てることができる。この場合、特定のネットワーク事業者は、第1の獲得時間間隔(たとえば、A-INT)にわたってチャネルの独占的使用を有し、第2の保証された時間間隔(たとえば、G-INT)にわたってチャネルの優先使用を有し得る。この場合、特定のネットワーク事業者は、第1の時間間隔および/または第2の時間間隔の間に競合せずにチャネルにアクセスすることができる。特定のネットワーク事業者用の2次チャネルとして(かつ、他のネットワーク事業者用の1次チャネルとして)他のチャネルが割り当てられてよい。この場合、そのチャネルに対してより高い優先度を有する他のネットワーク事業者が、チャネルを使用することができない場合、または第3の時間間隔の間にそのチャネルを使用する意図をシグナリングすることができない場合、特定のネットワーク事業者は、第3の日和見的時間間隔(たとえば、そのチャネルに対する1次ネットワーク事業者である他のネットワーク事業者に対するG-INTに対応し得るO-INT)の間に2次チャネルを使用することができる。
【００２９】
ワイヤレス通信システム200へのアクセス、リソースの優先順位付けおよび割振り、および/またはネットワーク事業者の同期は、中央コーディネータ(たとえば、SAS)によって制御され得る。いくつかの例では、リソースの優先順位付けおよび分類は、ネットワーク事業者の数に少なくとも部分的に基づいて自律的に判定され得る。ネットワーク事業者間の同期は、集中型シグナリングによって明示的に生じ得る。追加または代替として、ネットワーク事業者は、異なるネットワーク事業者からの、基地局105、UE115などのワイヤレスノードが互いをリスン処理し、それに応じて、タイミング同期を判定する「ネットワークリスン処理」に少なくとも部分的に基づく自己同期方式を採用することができる。追加または代替として、ネットワーク事業者は、本明細書で説明するように、他のネットワーク事業者によるシグナリングを検出するために送信におけるギャップ期間の使用に少なくとも部分的に基づいて、同期せずに動作することができる。
【００３０】
上記に示したように、図2は、単なる一例として提供されている。他の例が可能であり、図2に関して説明したことと異なる場合がある。
【００３１】
図3は、本開示の様々な態様による、媒体アクセスのために周波数分割多重(FDM)を使用し、完全にまたは部分的に同期されたネットワーク事業者との媒体共有をサポートする、ワイヤレスデバイス305のブロック図300を示す。ワイヤレスデバイス305は、図1を参照しながら説明したような、ユーザ機器(UE)115または基地局105の態様の一例であり得る。ワイヤレスデバイス305は、受信機310と、通信マネージャ315と、送信機320とを含み得る。ワイヤレスデバイス305はまた、プロセッサを含み得る。これらの構成要素の各々は、(たとえば、1つまたは複数のバスを介して)互いに通信していてもよい。
【００３２】
受信機310は、パケット、ユーザデータ、または様々な情報チャネル(たとえば、制御チャネル、データチャネル、およびチャネルアクセスの優先順位付けに関する情報など)に関連する制御情報などの情報を受信することができる。情報は、ワイヤレスデバイス305の他の構成要素に伝えられてよい。受信機310は、図6を参照しながら説明するトランシーバ635、図7を参照しながら説明するトランシーバ735などの態様の一例であり得る。
【００３３】
通信マネージャ315は、図6を参照しながら説明するUE通信マネージャ615または図7を参照しながら説明する基地局通信マネージャ715などの態様の一例であり得る。
【００３４】
通信マネージャ315は、複数のネットワーク事業者によって共有される共有無線スペクトル帯域内の複数のチャネルを識別することと、複数のチャネルのうちの第1のチャネルを識別することであって、複数のネットワーク事業者のうちの第1のネットワーク事業者が、複数のネットワーク事業者のうちの第2のネットワーク事業者に優先して第1のチャネルを使用する優先度を有する、識別することと、複数のチャネルのうちの第2のチャネルを識別することであって、第2のネットワーク事業者が、第1のネットワーク事業者に優先して第2のチャネルを使用する優先度を有する、識別することと、第1のチャネルまたは第2のチャネルのうちの少なくとも1つを使用して、第1のネットワーク事業者に関連するワイヤレスノードと通信することとを行うことができる。
【００３５】
送信機320は、デバイスの他の構成要素によって生成された信号を送信することができる。いくつかの例では、送信機320は、トランシーバモジュールにおいて受信機310と併置され得る。たとえば、送信機320は、図6を参照しながら説明するトランシーバ635、図7を参照しながら説明するトランシーバ735などの態様の一例であり得る。送信機320は、単一のアンテナを含んでよく、または送信機320は、複数のアンテナを含んでもよい。
【００３６】
上記に示したように、図3は、単なる一例として提供されている。他の例が可能であり、図3に関して説明したことと異なる場合がある。
【００３７】
図4は、本開示の様々な態様による、媒体アクセスのためにFDMを使用し、完全にまたは部分的に同期されたネットワーク事業者との媒体共有をサポートする、ワイヤレスデバイス405のブロック図400を示す。ワイヤレスデバイス405は、図1〜図3を参照しながら説明したような、ワイヤレスデバイス305、もしくはUE115、または基地局105の態様の一例であり得る。ワイヤレスデバイス405は、受信機410と、通信マネージャ415と、送信機420とを含み得る。ワイヤレスデバイス405はまた、プロセッサを含み得る。ワイヤレスデバイス405の構成要素の各々は、(たとえば、1つまたは複数のバスを介して)ワイヤレスデバイス405の他の構成要素と通信している場合がある。
【００３８】
受信機410は、パケット、ユーザデータ、または様々な情報チャネル(たとえば、制御チャネル、データチャネル、およびチャネルアクセスの優先度付けに関する情報など)に関連する制御情報などの情報を受信することができる。受信機410は、ワイヤレスデバイス405の他の構成要素に情報を伝えてよい。受信機410は、図6を参照しながら説明するトランシーバ635、図7を参照しながら説明するトランシーバ735などの態様の一例であり得る。
【００３９】
通信マネージャ415は、図6を参照しながら説明するUE通信マネージャ615または図7を参照しながら説明する基地局通信マネージャ715などの態様の一例であり得る。
【００４０】
通信マネージャ415はまた、共有スペクトル構成要素425と、チャネル識別構成要素435と、通信構成要素445とを含み得る。
【００４１】
共有スペクトル構成要素425は、ネットワーク事業者のセットによって共有される共有無線周波数スペクトル帯域内のチャネルのセットを識別することができる。
【００４２】
チャネル識別構成要素435は、ネットワーク事業者による使用のためのチャネルのセット内の第1のチャネル、ネットワーク事業者による使用のためのチャネルのセット内の第2のチャネル、などを識別することができる。第1のチャネルは、ネットワーク事業者が他のネットワーク事業者に優先してそのチャネルを使用する優先度を有するチャネルであり得る。たとえば、チャネル識別構成要素435は、ネットワーク事業者に1次チャネルとして割り振られ、ネットワーク事業者が獲得間隔(A-INT)使用および保証間隔(G-INT)使用(たとえば、他のネットワーク事業者に対して最高の使用優先度レベル)を有する、チャネルを識別することができる。第2のチャネルは、他のネットワーク事業者がそのネットワーク事業者に優先してそのチャネルを使用する優先度を有するチャネルであり得る。たとえば、チャネル識別構成要素435は、ネットワーク事業者に2次チャネルとして割り振られ、ネットワーク事業者が日和見的間隔(O-INT)使用を有する(たとえば、より高優先度のネットワーク事業者がそのチャネルを使用しないか、またはそのチャネルを使用する意図を示さないとき、ネットネットワーク事業者がそのチャネルを利用することができる)チャネルを識別することができる。チャネル識別構成要素435は、1つまたは複数の他のネットワーク事業者(たとえば、ワイヤレスデバイス405に関連するネットワーク事業者よりも第2のチャネルに対してより高い優先度に関連するネットワーク事業者)に関連するプリアンブル、RTS/CTS交換、エネルギーなどを識別するために第2のチャネルのTXOPのセットの間に通信をリスン処理することができ、通信のリスン処理に少なくとも部分的に基づいて、第2のチャネルが通信のために利用可能であると判定することができる。
【００４３】
通信構成要素445は、チャネルのセットのうちの少なくとも1つ(たとえば、第1のチャネルまたは第2のチャネル)を使用して、ネットワーク事業者に関連するワイヤレスノードと通信することができる。たとえば、通信構成要素445は、第2のチャネルを使用して、ワイヤレスデバイス405に関連付けられたネットワーク事業者に関連するワイヤレスノードと通信することができる。この場合、通信構成要素445は、ワイヤレスノードと制御情報(たとえば、同期情報、システム情報、ページング情報、ランダムアクセス情報など)を通信するための制御情報を送信機420に提供し得る。追加または代替として、通信構成要素445は、チャネルのセットのうちの少なくとも1つを使用してデータを通信するためのデータを送信機420に提供し得る。
【００４４】
送信機420は、ワイヤレスデバイス405の他の構成要素によって生成された信号を送信することができる。いくつかの例では、送信機420は、トランシーバモジュールにおいて受信機410と併置され得る。たとえば、送信機420は、図6を参照しながら説明するトランシーバ635、図7を参照しながら説明するトランシーバ735などの態様の一例であり得る。送信機420は、単一のアンテナを含んでよく、または送信機420は、複数のアンテナを含んでもよい。
【００４５】
上記に示したように、図4は、単なる一例として提供されている。他の例が可能であり、図4に関して説明したことと異なる場合がある。
【００４６】
図5は、本開示の様々な態様による、媒体アクセスのためにFDMを使用し、完全にまたは部分的に同期されたネットワーク事業者との媒体共有をサポートする、通信マネージャ515のブロック図500を示す。たとえば、装置は通信マネージャ515を含み得る。通信マネージャ515は、通信マネージャ315、通信マネージャ415、または図6および図7を参照しながらそれぞれ説明する、通信マネージャ615または715の態様の一例であり得る。通信マネージャ515は、共有スペクトル構成要素520と、チャネル識別構成要素525と、通信構成要素530と、ネットワークリスン処理構成要素535と、遅延構成要素540と、判定構成要素545と、シグナリング識別構成要素550とを含み得る。これらの構成要素の各々は、(たとえば、1つまたは複数のバスを介して)直接または間接的に互いに通信し得る。
【００４７】
共有スペクトル構成要素520は、ネットワーク事業者のセットによって共有される共有無線周波数スペクトル帯域内のチャネルのセットを識別することができる。
【００４８】
チャネル識別構成要素525は、ネットワーク事業者のセットの第1のネットワーク事業者がネットワーク事業者のセットの第2のネットワーク事業者に優先して第1のチャネルを使用する優先度を有する、チャネルのセット内の第1のチャネルを識別することができる。チャネル識別構成要素525は、第2のネットワーク事業者が第1のネットワーク事業者に優先して第2のチャネルを使用する優先度を有する、チャネルのセット内の第2のチャネルを識別することができる。場合によっては、第1のチャネルは、第1の帯域に関連付けられてよく、第2のチャネルは、第1の帯域とは異なる第2の帯域に関連付けられてよい。いくつかの他の場合には、第1のチャネルおよび第2のチャネルは共通帯域内にあってよい。
【００４９】
いくつかの態様では、チャネル識別構成要素525は、集中型ネットワークデバイスなど、ネットワークオペレーティングエンティティコーディネータによって第1のチャネルに対して、ネットワーク事業者のセットに対する優先度のセットの最高優先度として第1のネットワーク事業者に割り当てられると判定することができる。たとえば、通信マネージャ515は、第1のチャネルまたは他のチャネル(たとえば、第2のチャネル、第3のチャネルなど)に対する優先度のセットをネットワーク事業者のセットに割り当てることができるスペクトルアクセスコーディネータ構成要素を含み得る。追加または代替として、他のデバイスの他の構成要素は、ネットワーク事業者のセットに対して優先度のセットを割り当てることができ、優先度のセットは、自律的に判定され得る、などである。
【００５０】
通信構成要素530は、チャネルのセットのうちの1つまたは複数(たとえば、第1のチャネルまたは第2のチャネル)を使用して、第1のネットワーク事業者に関連するワイヤレスノードと通信することができる。たとえば、通信構成要素530は、第2のチャネルを使用して、第1のネットワーク事業者に関連するワイヤレスノードと通信することができる。通信構成要素530は、チャネルのセットのうちの1つまたは複数を使用して、同期情報、システム情報、ページング情報、ランダムアクセス情報などの制御情報をワイヤレスノードに通信することができる。通信構成要素530は、チャネルのセットのうちの1つまたは複数を使用してデータをワイヤレスノードに通信することができる。
【００５１】
通信構成要素530は、優先度のセットのうち、第2のチャネルに対する第1のネットワーク事業者の優先度に対応する第2のチャネルの特定の間隔で送信することができる。たとえば、より高い優先度のネットワーク事業者のセットが遅延構成要素540を使用して前の間隔のセットの間に送信するのを待機した後で、通信構成要素530は特定の間隔で通信することができる。通信構成要素530は、第1のチャネルが第2のチャネルとは異なる周波数帯域に関連付けられるときなど、ネットワークリスン処理構成要素535が第2のチャネル上でリスン処理しているのと同時に第1のチャネル上で送信することができる。
【００５２】
通信構成要素530は、データをワイヤレスノードに通信する意図を通信することができる。たとえば、第1のチャネルまたは第2のチャネルが通信のために利用可能であるとの判定に少なくとも部分的に基づいて、通信構成要素530は、第1のチャネルまたは第2のチャネルを介して、通信のために第1のチャネルまたは第2のチャネルを利用する意図を示すために、プリアンブルまたはRTS/CTS交換などの信号を通信することができる。
【００５３】
いくつかの態様では、通信構成要素530は、通信を控えることができる。たとえば、(たとえば、シグナリングの識別に少なくとも部分的に基づいて)第2のチャネルが通信のために利用可能でないと判定した後で、通信構成要素530は、特定の時間期間の間に第2のチャネルを使用した通信を控えることができる。この場合、通信構成要素530は、第1のチャネルを使用して通信することができるか、第3のチャネルを使用して通信することができるか、またはチャネルを使用した通信を控えることができる。
【００５４】
通信構成要素530は、第1のチャネルまたは第2のチャネルのうちの少なくとも1つを使用して通信が生じることになることを、(たとえば、第1のチャネルに対する第2のネットワーク事業者または第2のチャネルに対する第3のネットワーク事業者など、第1のネットワーク事業者よりも低い通信優先度を有する)他のネットワーク事業者に示すことができる。この場合、他のネットワーク事業者は、第1のチャネルまたは第2のチャネルのうちの少なくとも1つが使用のために利用可能でないと判定することができる。通信構成要素530は、第1のチャネルまたは第2のチャネルのうちの少なくとも1つを使用して通信が生じないことになることを、(たとえば、第1のチャネルに対する第2のネットワーク事業者または第2のチャネルに対する第3のネットワーク事業者など、第1のネットワーク事業者よりも低い通信優先度を有する)他のネットワーク事業者に示すことができる。この場合、他のネットワーク事業者は、第1のチャネルまたは第2のチャネルのうちの少なくとも1つが使用のために利用可能であると判定することができる。
【００５５】
ネットワークリスン処理構成要素535は、第2のチャネルの送信機会(TXOP)の時間間隔のセットの間に、ネットワーク事業者のセットの1つまたは複数の他のネットワーク事業者に関連する通信をリスン処理することができる。いくつかの態様では、第2のチャネルのTXOPの間隔のセットのサブセットは、第2のチャネルに対するネットワーク事業者のセットの優先度のセットに少なくとも部分的に基づいて順序付けられる。たとえば、本明細書で説明するように、第1の間隔は、第2のチャネルを使用する意図を示すために最高優先度のネットワーク事業者に対して確保されてよい、第2の間隔は、第2のチャネルを使用する意図を示すために次に最高の優先度のネットワーク事業者に対して確保されてよい、などである。ネットワークリスン処理構成要素535は、通信に関連するプリアンブルまたは通信の開始に関連する送信要求(RTS)/送信可(CTS)交換をリスン処理することができる。
【００５６】
ネットワークリスン処理構成要素535は、第1のネットワーク事業者の優先度よりも第2のチャネルに対してより高い優先度を有する、ネットワーク事業者のセットの他のネットワーク事業者のサブセットに関連する通信をリスン処理することができる。たとえば、間隔のセットの第1の間隔の間に、ネットワークリスン処理構成要素535は、第2のチャネルに対して最高優先度を有するネットワーク事業者に関連する通信をリスン処理することができる。同様に、間隔のセットの第2の間隔の間に、ネットワークリスン処理構成要素535は、第2のチャネルに対して次に最高の優先度を有する他のネットワーク事業者に関連する通信をリスン処理することができる。ネットワークリスン処理構成要素535は、第2のチャネルに対する第1のネットワーク事業者の優先度に対応する間隔にわたって待機する間に通信をリスン処理することができる。このようにして、通信マネージャ515は、ネットワーク事業者が、その間に第2のチャネルを利用する意図を示す、かつ/または第2のチャネルを利用する間隔を識別するためのカウントダウン手順を実行することを可能にし得る。
【００５７】
ネットワークリスン処理構成要素535は、第1のチャネル上で送信するのと同時に第2のチャネル上の通信をリスン処理することができる。たとえば、第1のチャネルおよび第2のチャネルが異なる帯域に関連付けられるとき、ネットワークリスン処理構成要素535は、異なる帯域上で同時にリスン処理することができる。ネットワークリスン処理構成要素535は、ネットワーク事業者のセットがチャネルのセットのチャネルのサブセット上で無音である期間の間、第2のチャネル上の通信をリスン処理することができる。たとえば、第1のチャネルおよび第2のチャネルが共通周波数帯域を共有するとき、各ネットワーク事業者は、ネットワークリスン処理構成要素535が特定のTXOPの間に送信のための各チャネルの利用可能性を判定するためにチャネルのセットの各チャネルを連続的にリスン処理することを可能にするために、単一チャネル上で一度に送信することができる。いくつかの態様では、間隔のセットは、他のネットワーク事業者からの通信をリスン処理するために利用され得るギャップ期間を含む。
【００５８】
遅延構成要素540は、通信マネージャ515の他の構成要素に待機手順を実行させることができる。たとえば、遅延構成要素540は、通信マネージャ515に、優先度のセットのうち(たとえば、その間にネットワークリスン処理構成要素535が1つまたは複数の他のネットワーク事業者に関連する通信をリスン処理することができる)第2のチャネルに対する第1のネットワーク事業者の優先度に対応する間隔にわたって待機させることができる。いくつかの態様では、遅延構成要素540は、間隔のセットの各間隔の長さを判定することができ、通信マネージャ515が特定の間隔が完了したと判定することを可能にし得るタイマー構成要素を含み得る。
【００５９】
判定構成要素545は、リスン処理するときに第2のチャネルに対するタイミングを判定することができる。たとえば、ネットワークリスン処理構成要素535が第2のチャネル上でリスン処理しているとき、判定構成要素545は、第2のチャネルに関連する他のネットワーク事業者(たとえば、第2のネットワーク事業者)と同期するために第2のチャネルに関連するタイミングを判定することができる。
【００６０】
判定構成要素545は、ネットワークリスン処理構成要素535からのデータの受信に少なくとも部分的に基づいて、第2のチャネルのTXOPの間隔のセットの間に1つまたは複数の他のネットワーク事業者からの通信の不在を判定することができる。たとえば、判定構成要素545は、第2のネットワーク事業者がその間に第2のネットワーク事業者が通信するために割当られる第2のチャネルのTXOPの間隔のセットの間に通信することができなかったことを判定し得、通信の不在の判定に少なくとも部分的に基づいて、第2のチャネルのTXOPの間隔の後続のセットの間に通信することを判定し得る。
【００６１】
判定構成要素545は、ネットワークリスン処理構成要素535からのデータの受信に少なくとも部分的に基づいて、第2のチャネルのTXOPの間隔のセットの間に1つまたは複数の他のネットワーク事業者からの通信の存在を判定することができる。たとえば、判定構成要素545は、第2のネットワーク事業者がその間に第2のネットワーク事業者が通信するために割り当られる第2のチャネルのTXOPの間隔のセットの間に通信をしたと判定することができ、第2のネットワーク事業者がTXOPの間に第2のチャネルを使用することを意図するという判定に少なくとも部分的に基づいて、第2のチャネルのTXOPの間隔の後続のセットの間に通信を控えることを判定できる。
【００６２】
シグナリング識別構成要素550は、ネットワークリスン処理構成要素535からのデータの受信に少なくとも部分的に基づいて、第2のチャネルに対して最高優先度を有する1つまたは複数の他のネットワーク事業者のうちの他のネットワーク事業者(たとえば、第2のネットワーク事業者)からのシグナリングを識別することができる。場合によっては、シグナリングは、他のネットワーク事業者が通信のために第2のチャネルのTXOPの間隔の他のセットを使用しないことを示し得る。たとえば、シグナリング識別構成要素550は、第2のネットワーク事業者がTXOPの間に通信のために第2のチャネルを使用しないことを意図すると判定することができる。いくつかの他の場合には、シグナリングは、他のネットワーク事業者(たとえば、第2のネットワーク事業者)が通信のために第2のチャネルのTXOPの間隔の他のセットを使用することになることを示し得る。たとえば、シグナリング識別構成要素550は、第2のネットワーク事業者に関連するプリアンブルまたはRTS/CTS交換を識別することができ、第2のチャネルのTXOPの残余の間に第2のチャネルを使用して通信することを控えるように通信構成要素530に示すことができる。
【００６３】
シグナリング識別構成要素550は、ネットワークリスン処理構成要素535からのデータの受信に少なくとも部分的に基づいて、第2のチャネルに対してより高い優先度を有する1つまたは複数の他のネットワーク事業者のうちの他のネットワーク事業者(たとえば、第2のネットワーク事業者)からのシグナリングを識別することができる。シグナリングは、他のネットワーク事業者(たとえば、第2のネットワーク事業者)が通信のために第2のチャネルのTXOPの間隔の他のセットを使用することになることを示し得る。たとえば、シグナリング識別構成要素550は、第2のネットワーク事業者に関連するプリアンブルまたはRTS/CTS交換を識別することができ、第2のチャネルのTXOPの残余の間に第2のチャネルを使用して通信することを控えるように通信構成要素530に示すことができる。
【００６４】
上記に示したように、図5は、単なる一例として提供されている。他の例が可能であり、図5に関して説明したことと異なる場合がある。
【００６５】
図6は、本開示の様々な態様による、部分的に同期されたアクセスをサポートするデバイス605を含むシステム600の図を示す。デバイス605は、図1〜図4を参照しながら上記で説明した、UE115、ワイヤレスデバイス305、またはワイヤレスデバイス405の構成要素の一例であり得るかまたはそれらを含み得る。デバイス605は、UE通信マネージャ615と、プロセッサ620と、メモリ625と、ソフトウェア630と、トランシーバ635と、アンテナ640と、I/Oコントローラ645とを含む、通信を送信および受信するための構成要素を含む、双方向音声およびデータ通信のための構成要素を含んでもよい。これらの構成要素は、1つまたは複数のバス(たとえば、バス610)を介して電子通信し得る。デバイス605は、1つまたは複数の基地局105とワイヤレス通信してもよい。
【００６６】
プロセッサ620は、インテリジェントハードウェアデバイス(たとえば、汎用プロセッサ、デジタル信号プロセッサ(DSP)、中央処理ユニット(CPU)、マイクロコントローラ、特定用途向け集積回路(ASIC)、フィールドプログラマブルゲートアレイ(FPGA)、プログラマブル論理デバイス、個別ゲートもしくはトランジスタ論理構成要素、個別ハードウェア構成要素、またはそれらの任意の組合せ)を含み得る。場合によっては、プロセッサ620は、メモリコントローラを使用して、メモリアレイを動作させるように構成されてもよい。他の場合には、メモリコントローラは、プロセッサ620内に統合されてよい。プロセッサ620は、様々な機能(たとえば、部分的に同期されたアクセスをサポートする機能またはタスク)を実行するために、メモリ内に記憶されたコンピュータ可読命令を実行するように構成され得る。
【００６７】
メモリ625は、ランダムアクセスメモリ(RAM)と読取り専用メモリ(ROM)とを含み得る。メモリ625は、1つまたは複数のプロセッサによって実行されると、1つまたは複数のプロセッサに、本明細書で説明される様々な機能を実行させる命令を含むコンピュータ可読の、コンピュータ実行可能ソフトウェア630を記憶することができる。場合によっては、メモリ625は、とりわけ、周辺構成要素または周辺デバイスとの相互作用などの基本的なハードウェアおよび/またはソフトウェア動作を制御し得る基本入出力システム(BIOS)を含み得る。
【００６８】
ソフトウェア630は、部分的に同期されたアクセスをサポートするためのコードを含めて、本開示の態様を実装するためのコードを含み得る。ソフトウェア630は、システムメモリまたは他のメモリなどの非一時的コンピュータ可読媒体内に記憶されてもよい。場合によっては、ソフトウェア630は、プロセッサによって直接実行可能ではない場合があるが、(たとえば、コンパイルされ、実行されたときに)本明細書で説明する機能をコンピュータに実行させてもよい。
【００６９】
トランシーバ635は、上記で説明したような1つまたは複数のアンテナ、ワイヤードリンク、またはワイヤレスリンクを介して双方向に通信し得る。たとえば、トランシーバ635は、ワイヤレストランシーバを表すことがあり、他のワイヤレストランシーバと双方向に通信することがある。トランシーバ635はまた、パケットを変調し、変調されたパケットを送信のためにアンテナに与え、アンテナから受信されたパケットを復調するためのモデムを含み得る。いくつかの態様では、トランシーバ635は、別個の送信機構成要素と受信機構成要素とを含み得る。
【００７０】
場合によっては、ワイヤレスデバイスは、単一のアンテナ640を含み得る。ただし、場合によっては、デバイスは2つ以上のアンテナ640を有することができ、複数のアンテナ640は、複数のワイヤレス送信を同時に送信または受信することが可能であり得る。
【００７１】
I/Oコントローラ645は、デバイス605のための入力信号および出力信号を管理してもよい。I/Oコントローラ645はまた、デバイス605内に統合されない周辺機器を管理し得る。場合によっては、I/Oコントローラ645は、外部周辺機器への物理的接続またはポートを表し得る。場合によっては、I/Oコントローラ645は、iOS(登録商標)、ANDROID(登録商標)、MS-DOS(登録商標)、MS-WINDOWS(登録商標)、OS/2(登録商標)、UNIX(登録商標)、LINUX(登録商標)、または他のオペレーティングシステムなどの、オペレーティングシステムを利用し得る。
【００７２】
上記に示したように、図6は、単なる一例として提供されている。他の例が可能であり、図6に関して説明したことと異なる場合がある。
【００７３】
図7は、本開示の様々な態様による、部分的に同期されたアクセスをサポートするデバイス705を含むシステム700の図を示す。デバイス705は、図1〜図4を参照しながら上記で説明した、基地局105、ワイヤレスデバイス305、またはワイヤレスデバイス405の構成要素の一例であり得るかまたはそれらを含み得る。デバイス705は、基地局通信マネージャ715と、プロセッサ720と、メモリ725と、ソフトウェア730と、トランシーバ735と、アンテナ740と、ネットワーク通信マネージャ745と、基地局マネージャ750とを含む、通信を送信および受信するための構成要素を含む、双方向音声およびデータ通信のための構成要素を含んでもよい。これらの構成要素は、1つまたは複数のバス(たとえば、バス710)を介して電子通信し得る。デバイス705は、1つまたは複数のUE115とワイヤレス通信することができる。
【００７４】
プロセッサ720は、インテリジェントハードウェアデバイス(たとえば、汎用プロセッサ、DSP、CPU、マイクロコントローラ、ASIC、FPGA、プログラマブル論理デバイス、個別ゲートもしくはトランジスタ論理構成要素、個別ハードウェア構成要素、またはそれらの任意の組合せ)を含み得る。場合によっては、プロセッサ720は、メモリコントローラを使用してメモリアレイを動作させるように構成されてもよい。他の場合には、メモリコントローラは、プロセッサ720内に統合されてよい。プロセッサ720は、様々な機能(たとえば、部分的に同期されたアクセスをサポートする機能またはタスク)を実行するために、メモリ内に記憶されたコンピュータ可読命令を実行するように構成され得る。
【００７５】
メモリ725は、RAMとROMとを含み得る。メモリ725は、実行されると、プロセッサに本明細書で説明する様々な機能を実行させる命令を含むコンピュータ可読、コンピュータ実行可能ソフトウェア730を記憶し得る。場合によっては、メモリ725は、とりわけ、周辺構成要素または周辺デバイスとの相互作用などの、基本ハードウェアおよび/またはソフトウェア動作を制御し得るBIOSを含み得る。
【００７６】
ソフトウェア730は、部分的に同期されたアクセスをサポートするためのコードを含めて、本開示の態様を実装するためのコードを含み得る。ソフトウェア730は、システムメモリまたは他のメモリなどの非一時的コンピュータ可読媒体内に記憶されてもよい。場合によっては、ソフトウェア730は、プロセッサによって直接実行可能ではない場合があるが、(たとえば、コンパイルされ、実行されたときに)本明細書で説明する機能をコンピュータに実行させてもよい。
【００７７】
トランシーバ735は、上記で説明したような1つまたは複数のアンテナ、ワイヤードリンク、またはワイヤレスリンクを介して双方向に通信し得る。たとえば、トランシーバ735は、ワイヤレストランシーバを表すことがあり、他のワイヤレストランシーバと双方向に通信し得る。トランシーバ735は、パケットを変調し、変調されたパケットを送信のためにアンテナに与え、アンテナから受信されたパケットを復調するためのモデムも含み得る。いくつかの態様では、トランシーバ735は、別個の送信機構成要素と受信機構成要素とを含み得る。
【００７８】
場合によっては、デバイス705は、単一のアンテナ740を含み得る。ただし、場合によっては、デバイス705は2つ以上のアンテナ740を有することができ、複数のアンテナ740は、複数のワイヤレス送信を同時に送信または受信することが可能であり得る。
【００７９】
ネットワーク通信マネージャ745は、(たとえば、1つまたは複数のワイヤードバックホールリンクを介して)コアネットワークとの通信を管理してもよい。たとえば、ネットワーク通信マネージャ745は、1つまたは複数のUE115などのクライアントデバイスのためのデータ通信の転送を管理してもよい。
【００８０】
基地局マネージャ750は、他の基地局105との通信を管理してもよく、他の基地局105と協調してUE115との通信を制御するためのコントローラまたはスケジューラを含んでもよい。たとえば、基地局マネージャ750は、ビームフォーミングまたはジョイント送信などの様々な干渉緩和技法のために、UE115への送信用のスケジューリングを協調させ得る。いくつかの例では、基地局マネージャ750は、基地局105間で通信を行うために、LTE/LTE-Aワイヤレス通信ネットワーク技術内のX2インターフェースを提供し得る。基地局マネージャ750は、NRまたは他の次世代ワイヤレス通信ネットワーク技術に適合する他のインターフェースを提供し得る。
【００８１】
上記に示したように、図7は、単なる一例として提供されている。他の例が可能であり、図7に関して説明したことと異なる場合がある。
【００８２】
図8は、DLセントリックサブフレームの一例を示す図800である。DLセントリックサブフレームは、制御部分802を含み得る。制御部分802は、DLセントリックサブフレームの最初の部分または冒頭部分に存在し得る。制御部分802は、DLセントリックサブフレームの様々な部分に対応する様々なスケジューリング情報および/または制御情報を含み得る。いくつかの構成では、制御部分802は、図8に示すように、物理DL制御チャネル(PDCCH)であってよい。DLセントリックサブフレームは、DLデータ部分804を含んでもよい。DLデータ部分804は時々、DLセントリックサブフレームのペイロードと呼ばれることがある。DLデータ部分804は、スケジューリングエンティティ(たとえば、UEまたは基地局(BS))から従属エンティティ(たとえば、UE)へDLデータを通信するために利用される通信リソースを含み得る。いくつかの構成では、DLデータ部分804は、物理DL共有チャネル(PDSCH)であってよい。
【００８３】
DLセントリックサブフレームは、共通UL部分806も含み得る。共通UL部分806は、時々、ULバースト、共通ULバースト、および/または様々な他の好適な用語として呼ばれることがある。共通UL部分806は、DLセントリックサブフレームの様々な他の部分に対応するフィードバック情報を含み得る。たとえば、共通UL部分806は、制御部分802に対応するフィードバック情報を含み得る。フィードバック情報の非限定的な例は、ACK信号、NACK信号、HARQインジケータ、および/または様々な他の好適なタイプの情報を含み得る。共通UL部分806は、ランダムアクセスチャネル(RACH:random access channel)手順、スケジューリング要求および様々な他の好適なタイプの情報に関する情報などの、追加または代替の情報を含み得る。図8に示すように、DLデータ部分804の末尾は、共通UL部分806の冒頭から時間的に分離され得る。この時間の分離は時々、ギャップ、ガード期間、ガードインターバル、および/または様々な他の適切な用語で呼ばれることがある。この分離は、DL通信(たとえば、従属エンティティ(たとえば、UE)による受信動作)からUL通信(たとえば、従属エンティティ(たとえば、UE)による送信)への切替えのための時間を与える。上記は、DLセントリックサブフレームの単なる一例であり、本明細書で説明する態様から必ずしも逸脱せずに、同様の特徴を有する代替構造が存在し得る。
【００８４】
上記に示したように、図8は、単なる一例として提供されている。他の例が可能であり、図8に関して説明したことと異なる場合がある。
【００８５】
図9は、ULセントリックサブフレームの一例を示す図900である。ULセントリックサブフレームは、制御部分902を含み得る。制御部分902は、ULセントリックサブフレームの最初の部分または冒頭部分に存在し得る。図9における制御部分902は、図8を参照しながら上記で説明した制御部分802と同様であってよい。ULセントリックサブフレームは、ULデータ部分904を含んでもよい。ULデータ部分904は時々、ULセントリックサブフレームのペイロードと呼ばれることがある。UL部分とは、従属エンティティ(たとえば、UE)からスケジューリングエンティティ(たとえば、UEまたはBS)へULデータを通信するために利用される通信リソースを指すことがある。いくつかの構成では、制御部分902は、物理UL共有チャネル(PUSCH:physical UL shared channel)であってよい。
【００８６】
図9に示すように、制御部分902の末尾は、ULデータ部分904の冒頭から時間的に分離され得る。この時間の分離は時々、ギャップ、ガード期間、ガードインターバル、および/または様々な他の適切な用語で呼ばれ得る。この分離は、DL通信(たとえば、スケジューリングエンティティによる受信動作)からUL通信(たとえば、スケジューリングエンティティによる送信)への切替えのための時間を与える。UDLセントリックサブフレームは、共通UL部分906を含んでもよい。図9における共通UL部分906は、図8を参照しながら上記で説明した共通UL部分806と同様であってよい。共通UL部分906は、追加または代替として、チャネル品質インジケータ(CQI)、サウンディング基準信号(SRS)、および様々な他の好適なタイプの情報に関する情報を含み得る。上記は、ULセントリックサブフレームの単なる一例であり、本明細書で説明する態様から必ずしも逸脱せずに、同様の特徴を有する代替構造が存在し得る。
【００８７】
一例では、フレームは、ULセントリックサブフレームとDLセントリックサブフレームの両方を含み得る。この例では、フレーム内のDLセントリックサブフレームに対するULセントリックサブフレームの比率は、送信されるULデータの量およびDLデータの量に少なくとも部分的に基づいて動的に調整され得る。たとえば、より多くのULデータが存在する場合、DLセントリックサブフレームに対するULセントリックサブフレームの比率は増大し得る。逆に、より多くのDLデータが存在する場合、DLセントリックサブフレームに対するULセントリックサブフレームの比率は低減し得る。
【００８８】
上記に示したように、図9は、単なる一例として提供されている。他の例が可能であり、図9に関して説明したことと異なる場合がある。
【００８９】
図10は、本開示の様々な態様による、媒体アクセスのためにFDMを使用し、完全にまたは部分的に同期されたネットワーク事業者との媒体共有をサポートする、UE115と基地局105との間の流れ図1000の一例を示す。UE115および基地局105は、図1〜図2を参照しながら説明した対応するエンティティの例であり得る。
【００９０】
参照番号1005において、UE115と基地局105との間にワイヤレス接続を確立することができる。基地局105およびUE115は、同じネットワーク事業者に関連付けられ得る。ワイヤレス接続は、アクセスまたは同期シグナリングなど、制御シグナリングの交換を含んでよいか、または制御シグナリングの交換が先行してもよい。
【００９１】
参照番号1010において、基地局105は、ネットワーク事業者のセットによって共有される共有無線周波数スペクトル帯域内のチャネルのセットを識別することができる。いくつかの例では、UE115はチャネルのセットを識別することができる。
【００９２】
参照番号1015において、基地局105は、チャネルのセット内の第1のチャネルを識別することができる。たとえば、ネットワーク事業者のセットの第1のネットワーク事業者は、ネットワーク事業者のセットの第2のネットワーク事業者に優先して第1のチャネルを使用する優先度を有し得る。いくつかの態様では、第1のチャネルは、第1のネットワーク事業者(たとえば、基地局105に関連する)が、LBT手順を実行せずに、ダウンリンク基準信号(DRS)/UL RACH信号を送信することができる、第1のネットワーク事業者用の1次チャネルであり得る。たとえば、第1のネットワーク事業者は、本明細書で説明するように、A-INT期間の間にDRS/UL RACH信号を送信することができる。いくつかの態様では、第1のチャネルは、第1のネットワーク事業者に最高優先度(すなわち、第2のネットワーク事業者よりも高い優先度)が割り当てられる、第1のネットワーク事業者用の1次チャネルであり得る。たとえば、第1のネットワーク事業者は、A-INT期間の後のG-INT期間の間に競合なしに第1のチャネルにアクセスすることができる。いくつかの態様では、第1のチャネルは、第1のネットワーク事業者に第2のネットワーク事業者よりも高い優先度が割り当てられる、第1のネットワーク事業者用の2次チャネルであり得る。たとえば、第1のネットワーク事業者は、第1のチャネルに対してより高い優先度を有する1つまたは複数の他のネットワーク事業者が、G-INT期間の後のO-INT期間の間になど、第1のチャネルを使用することを拒絶した後で、第1のチャネルにアクセスすることができる。
【００９３】
参照番号1020において、基地局105は、制御情報をUE115に通信することができる。たとえば、基地局105は、第1のチャネル上でA-INTの間にDRS/UL RACH信号を通信することができる。いくつかの態様では、制御情報は、同期情報、システム情報、ページング情報、ランダムアクセス情報、またはそれらの組合せを含み得る。いくつかの場合、UE115は制御情報を基地局105に通信することができる。
【００９４】
参照番号1025において、基地局105は、チャネルのセット内の第2のチャネルを識別することができる。たとえば、基地局105は、第2のネットワーク事業者が、第1のネットワーク事業者に優先して第2のチャネルを使用する優先度を有する第2のチャネルを識別することができる。
【００９５】
参照番号1030において、基地局105は、本明細書で説明するように、他のネットワーク事業者からの通信を測定するための媒体検知手順を実行することができる。たとえば、より高い優先度のネットワーク事業者(たとえば、第2のネットワーク事業者)が第2のチャネルを使用することができないこと、または第2のチャネルを使用する意図を示すことに少なくとも部分的に基づいて、基地局105は、第2のチャネルが利用のために利用可能であることを判定することができる。同様に、基地局105は、第1のチャネルを使用することができるか、または第1のチャネルを使用する意図の指示を送信することができる。いくつかの態様では、基地局105は、第2のチャネルに対して媒体検知を実行するために他のネットワーク事業者に関連するプリアンブル、RTS/CTS交換、エネルギーなどをリスン処理することができる。
【００９６】
参照番号1035において、基地局105は、データをUE115に通信することができる。たとえば、基地局105は、第1のネットワーク事業者がLBT手順を実行せずに第2のネットワーク事業者よりも高い優先度に関連付けられる第1のチャネルを利用することを判定し得る。追加または代替として、基地局105は、LBT手順を実行して、第2のネットワーク事業者が第2のチャネルを利用してないこと、および/または第2のチャネルを利用することを意図しないことを判定し得、データを通信するための第2のチャネルを使用することを判定し得る。この場合、基地局105およびUE115は、第2のチャネルを使用して通信することができる。
【００９７】
上記に示したように、図10は、単なる一例として提供されている。他の例が可能であり、図10に関して説明したことと異なる場合がある。たとえば、図10に関して説明した動作の特定の順序または階層は一例の例示である。設計選好に基づいて、動作の特定の順序または階層が再構成されてよい。さらに、いくつかの動作は、組み合わされてよく、もしくは省略されてよく、または追加の動作が含まれてもよい。
【００９８】
図11Aおよび図11Bは、それぞれ、部分的に同期されたアクセスに対するタイミング図1100およびタイミング図1100'の一例を示す。図11Aに示すように、例示的なタイミング図1100は、第1のチャネル、第2のチャネル、...に対する送信機会(TXOP)1105と、CCAスロット1110-1および1110-2のセットと、DLスロット1115とを含む。
【００９９】
(たとえば、図1、図2、図6、図7、もしくは図10の基地局105、図1、図2、図7、もしくは図10のUE115、図3のワイヤレスデバイス305、図4のワイヤレスデバイス405、図6のデバイス605、図7のデバイス705、または本明細書で説明する他のデバイスに対応し得る)第1のネットワーク事業者、第2のネットワーク事業者、および第3のネットワーク事業者に関連する基地局(たとえば、基地局またはUE)は、第1のチャネル、第2のチャネルなど、チャネルのセットを識別することができる。第1のネットワーク事業者は、第1のチャネルに関する最高優先度に関連付けられ、第2のネットワーク事業者は、第1のチャネルに関する次に最高の優先度に関連付けられ、第3のネットワーク事業者は、第1のチャネルに関する次に最高の優先度に関連付けられる。図11Aおよび図11Bに示す例では、基地局は、複数のチャネルを同時に送信および/またはリスン処理することができる。したがって、図11Aおよび図11Bは第1のチャネルに関して説明されるが、図11Aおよび図11Bの説明は、第2のチャネルなど、他のチャネルにも適用可能である。たとえば、複数のチャネルが周波数分割多重(FDM)を備えたNR-SSシステムなど、共通周波数帯域を共有しないとき、基地局は、複数のチャネル上で同時に送信および/またはリスン処理することができる。
【０１００】
図11Aにさらに示すように、CCAスロット1110-1は、プリアンブル送信期間1120-1とギャップ期間1125-1とを含み得る。たとえば、第1のネットワーク事業者に関連する第1の基地局は、第1の基地局が第1のチャネルを使用することになっていることを示すためのプリアンブルをプリアンブル送信期間1120-1の間に送信することができる。別の例では、第2のネットワーク事業者がそのチャネルに関して最高優先度を有する第2のチャネル上で、第2のネットワーク事業者に関連する第2の基地局は、第2の基地局が第2のチャネルを使用することになっていることを示すためのプリアンブルをプリアンブル送信期間1120-1の間に送信することができる。別の例では、第3のネットワーク事業者がそのチャネルに関して最高優先度を有する第3のチャネル上で、第3のネットワーク事業者に関連する第3の基地局は、第3の基地局が第3のチャネルを使用することになっていることを示すためのプリアンブルをプリアンブル送信期間1120-1の間に送信することができる。このようにして、特定のチャネルに対する最高優先度のネットワーク事業者は、特定のチャネルを使用する意図を示すことができる。各ネットワーク事業者が少なくとも1つのチャネルに関する最高優先度に関連付けられていることに少なくとも部分的に基づいて、ネットワーク事業者がネットワークリソースを受信することができない可能性は低減され、それによって、媒体検知に関する別の技法に対してネットワーク性能を改善する。
【０１０１】
図11Aに関してさらに示すように、第2の基地局および第3の基地局は、第1のギャップ期間1125-1の間に第1のチャネルを使用して第1の基地局によって送信されたプリアンブルの検出を試み得る。第1のギャップ期間1125-1は、第2の基地局および第3の基地局が、第1の基地局からのプリアンブルを検出および/または処理すること、同期されていない複数のネットワーク事業者(たとえば、第1のネットワーク事業者、第2のネットワーク事業者、第3のネットワーク事業者など)にわたるタイミングオフセットを明らかにすることなどを可能にするための特定のしきい値時間期間のものになるように選択され得る。第1の基地局が送信したプリアンブルを検出することができないことに少なくとも部分的に基づいて(たとえば、第1の基地局がTXOP1105の間に第1のチャネルの使用を意図しない結果としてプリアンブルを送信しないことに少なくとも部分的に基づいて)、第2および第3の基地局は、第1の基地局がTXOP1105に対して第1のチャネルを使用することを意図していないことおよび/または第1のチャネルを使用していないことを判定し得る。
【０１０２】
図11Aに関してさらに示すように、第2のネットワーク事業者が第1のチャネル上で次に最高の優先度を有することに少なくとも部分的に基づいて、第2の基地局は、TXOP1105の間に第1のチャネルを使用する意図を示すためおよび/または第1のチャネルを使用するためのプリアンブルをCCAスロット1110-2のプリアンブル送信期間1120-2の間に送信することができる。第3の基地局は、ギャップ期間1125-2の間に第2の基地局からのプリアンブルの検出を試み得る。ギャップ期間1125-2の間に第2の基地局からプリアンブルを検出することができないことに少なくとも部分的に基づいて、第3の基地局は、第2の基地局がTXOP1105の間に第1のチャネルを使用することを意図しないこと、かつ/または第1のチャネルを使用していないことを判定し得る。第1のチャネルに関して次に最高の優先度が第3のネットワーク事業者に割り当てられていることに少なくとも部分的に基づいて、第3の基地局は、TXOP1105の間に通信のために第1のチャネルを利用することを判定し得る。
【０１０３】
図11Aに関してさらに示すように、第3の基地局は、TXOP1105のDLスロット1115を利用することができる。たとえば、第3の基地局は、許可期間1130の間に許可を送信することができ、通信期間1135の間にPDSCHを送信することができる。このようにして、第3のネットワーク事業者(たとえば、第3の基地局)は、制御情報を送信するため、データを送信するためになど、TXOP1105の間に第3のチャネル(たとえば、第3のネットワーク事業者が第1のネットワーク事業者または第2のネットワーク事業者など、1つまたは複数の他のネットワーク事業者よりも低い優先度に関連付けられるチャネル)の使用が許可される。第3のネットワーク事業者がTXOP1105の間に第3のチャネルを使用することを許可されていることに少なくとも部分的に基づいて(たとえば、第3のネットワーク事業者に関連するUEまたは基地局がCCAスロット1110の間にプリアンブルに対応する通信をリスン処理することに少なくとも部分的に基づいて)、第3のネットワーク事業者は、通信のために第3のチャネルを使用することができる(たとえば、第3のネットワーク事業者に関連するUEまたは基地局は、第3のネットワーク事業者に関連する他の基地局または他のUEなど、ワイヤレスノードと通信することができる)。
【０１０４】
図11Bは、ネットワーク事業者が、チャネルのセット(たとえば、第1のチャネル、第2のチャネル、第3のチャネルなど)を同時に送信および/またはリスン処理することができる第1のチャネルの同様のタイミング図1100'の例示である。タイミング図1100'は、CCAスロット1155-1、1155-2、および1155-3と、DLスロット1160とを含む、第1のチャネルに対するTXOP1150を含む。第1のネットワーク事業者は、第1のチャネルに関する最高優先度に関連付けられ、第2のネットワーク事業者は、第1のチャネルに関する次に最高の優先度に関連付けられ、第3のネットワーク事業者は、第1のチャネルに関する次に最高の優先度に関連付けられる。
【０１０５】
図11Bにさらに示すように、CCAスロット1155-1は、第1のネットワーク事業者(たとえば、第1の基地局)がRTSメッセージを送信するために確保される。たとえば、第1の基地局は、CCAスロット1155-1のRTS送信期間1165-1の間に、RTSメッセージをUEのグループの(たとえば、図1、図2、図7、または図10のUE115、図3のワイヤレスデバイス305、図4のワイヤレスデバイス405、図6のデバイス605、図7のデバイス705、または本明細書で説明する他のデバイスに対応し得る)第1のUEに送信することができる。第1のギャップ期間1170-1の間、基地局(たとえば、第1、第2、第3の基地局など)のグループは、RTS/CTS交換(たとえば、第1のネットワーク事業者に関連する第1のUEからのCTS応答)の検出を試みることができる。CCAスロット1155-2は、第2のネットワーク事業者(たとえば、第2の基地局)がRTSメッセージを送信するために確保される。RTS/CTS交換を検出することができないことに少なくとも部分的に基づいて、基地局のグループは、第1のネットワーク事業者がTXOP1150の間に第1のチャネルを使用しないことになることを判定し得る。
【０１０６】
図11Bにさらに示すように、第2の基地局は、CCAスロット1155-2のRTS送信期間1165-2の間にUEのグループの第2のUEにRTSメッセージを送信することができる。第2のギャップ期間1170-2の間、基地局のグループは、RTS/CTS交換(たとえば、第2のネットワーク事業者に関連する第2のUEからのCTS応答)の検出を試みることができる。RTS/CTS交換を検出することができないことに少なくとも部分的に基づいて、基地局のグループは、第2のネットワーク事業者がTXOP1150の間に第1のチャネルを使用しないことになることを判定し得る。
【０１０７】
図11Bにさらに示すように、第3の基地局は、CCAスロット1155-3のRTS送信期間1165-3の間にUEのグループの第3のUEにRTSメッセージを送信することができる。第3のギャップ期間1170-3の間、基地局のグループは、RTS/CTS交換(たとえば、第3のネットワーク事業者に関連する第3のUEからのCTS応答)の検出を試みることができる。第3の基地局がCTS応答を検出することに少なくとも部分的に基づいて、第3のネットワーク事業者は、TXOP1150のDLスロット1160の間に通信のために第1のチャネルを使用することを判定し得る。第3の基地局は、TXOP1150の間に第1のチャネル上で通信するために、許可期間1175の間に許可を送り、通信期間1180の間にPDSCHを送ることができる。このようにして、第3の基地局は、第1のチャネルに対して第3の基地局よりも高い優先度を有する他のネットワーク事業者に関連するRTS/CTS交換のリスン処理に少なくとも部分的に基づいて、ワイヤレスノードと通信することができる。
【０１０８】
上記に示したように、図11Aおよび図11Bは、単なる一例として提供されている。他の例が可能であり、図11Aおよび図11Bに関して説明したことと異なる場合がある。たとえば、図11Aおよび図11Bを参照しながら説明した協調フレームワークは、単に例示のためである。CCAスロット1110および/またはRTS/CTS交換期間1155の数、持続時間、およびロケーションは異なる場合がある。また、ネットワーク事業者の数量およびその優先度は異なる場合がある。
【０１０９】
図12Aおよび図12Bは、それぞれ、部分的に同期されたアクセスに対するタイミング図1200およびタイミング図1200'の一例を示す。図12Aに示すように、例示的なタイミング図1200は、第1のチャネルに対する送信機会(TXOP)1205-1および第2のチャネルに対する送信機会(TXOP)1205-2と、CCAスロット1210-1および1210-2のセットと、第1のチャネル上のDLスロット1215-1および第2のチャネル上のDLスロット1215-2のセットとを含む。
【０１１０】
(たとえば、図1、図2、図6、図7、もしくは図10の基地局105、図3のワイヤレスデバイス305、図4のワイヤレスデバイス405、図6のデバイス605、または図7のデバイス705に対応し得る)第1のネットワーク事業者および第2のネットワーク事業者に関連する基地局は、第1のチャネルおよび第2のチャネルを識別することができる。第1のネットワーク事業者は、第1のチャネルに関する最高優先度に関連付けられ、第2のネットワーク事業者は、第1のチャネルに関する次に最高の優先度に関連付けられる。第2のネットワーク事業者は、第2のチャネルに関する最高優先度に関連付けられ、第1のネットワーク事業者は、第2のチャネルに関する次に最高の優先度に関連付けられる。図12Aおよび図12Bに示す例では、基地局は、複数のチャネルを同時に送信および/またはリスン処理することができない。これは、たとえば、第1のチャネルおよび第2のチャネルが共通周波数帯域を共有するときに生じ得る。
【０１１１】
図12Aおよび図12Bに関して、第1のネットワーク事業者および第2のネットワーク事業者は独立したタイミングを有し得るが、第1のチャネル上の第1のネットワーク事業者に対するA-INTの間、第2のネットワーク事業者は、第2のチャネル上で無音であり得る。同様に、第2のチャネル上の第2のネットワーク事業者に対するA-INTの間、第1のネットワーク事業者は、第1のチャネル上で無音であり得る。いくつかの他の例では、たとえば、第2のネットワーク事業者が第1のネットワーク事業者に対するA-INTを監視する必要がないとき、第1のネットワーク事業者が第1のチャネル上でA-INTの間に送信する間に、第2のネットワーク事業者は第2のチャネル上で送信することができる。
【０１１２】
図12Aにさらに示すように、CCAスロット1210-1の間に第1のチャネル上で、第1のネットワーク事業者に対してプリアンブル送信期間1220-1が確保され得る。たとえば、第1のネットワーク事業者に関連する第1の基地局は、プリアンブル送信期間1220-1の間にプリアンブルを送信することができる。第1のチャネル上で、第2のネットワーク事業者に関連する第2の基地局は、ギャップ期間1225-1の間に第1の基地局からのプリアンブルの検出を試みることができる。同様に、(たとえば、ネットワーク事業者が、第1のチャネルをリスン処理し、第2のチャネル上で同時に送信することができない結果として)CCAスロット1210-1の間に第2のチャネル上で、第2の基地局が第1のチャネル上で第1の基地局からのプリアンブルをリスン処理することを可能にするためにギャップ期間1225-2が確保され得る。
【０１１３】
図12Aにさらに示すように、CCAスロット1210-2の間に第2のチャネル上で、第2のネットワーク事業者に対してプリアンブル送信期間1220-2が確保され得る。たとえば、第2のネットワーク事業者に関連する第2の基地局は、プリアンブル送信期間1220-2の間にプリアンブルを送信することができる。第2のチャネル上で、第1のネットワーク事業者に関連する第1の基地局は、ギャップ期間1225-3の間に第2の基地局からのプリアンブルの検出を試みることができる。同様に、CCAスロット1210-2の間に第1のチャネル上で、第1の基地局が第2のチャネル上で第2の基地局からのプリアンブルをリスン処理することを可能にするために第2のギャップ期間1225-4が確保され得る。
【０１１４】
図12Aに関して、第1の基地局がプリアンブル送信期間1220-1の間にプリアンブルを送信するとき(かつ、第2の基地局がギャップ期間1225-1の間にプリアンブルを検出するとき)および第2の基地局がプリアンブル送信期間1220-2の間にプリアンブルを送信しないとき(かつ、第1の基地局がギャップ期間1225-3の間にプリアンブルを検出しないとき)、第1の基地局は、通信のために第1のチャネルまたは第2のチャネルのうちの少なくとも1つを使用することができる。この場合、DLスロット1215-1および1215-2の間、第1のネットワーク事業者(たとえば、第1の基地局)は、第1のチャネルおよび第2のチャネルを使用して、許可期間1230-1および1230-2を使用して許可を送信し、通信期間1235-1および1235-2を使用して通信すること(たとえば、データを通信すること)ができる。
【０１１５】
図12Bに示すように、例示的なタイミング図1200'は、第1のチャネルおよび第2のチャネルに対する送信機会(TXOP)1250と、CCAスロット1255-1および1255-2のセットと、DLスロット1260-1および1260-2のセットとを含む。
【０１１６】
図12Bにさらに示すように、CCAスロット1255-1の間に第1のチャネル上で、第1のネットワーク事業者に対してRTS送信期間1265-1が確保され得る。たとえば、第1のネットワーク事業者に関連する第1の基地局は、第1のRTS送信1265-1の間にRTSを送信することができる。第1のチャネル上で、第2のネットワーク事業者に関連する第2の基地局は、ギャップ期間1270-1の間に第1の基地局のRTS/CTS交換の検出(たとえば、CTS応答の受信の検出)を試みることができる。同様に、CCAスロット1255-1の間に第2のチャネル上で、第2の基地局が第1のチャネル上でRST/CTS交換をリスン処理することを可能にするために第2のギャップ期間1270-2が確保され得る。
【０１１７】
図12Bにさらに示すように、CCAスロット1255-2の間に第2のチャネル上で、第2のネットワーク事業者に対してRTS送信期間1265-2が確保され得る。たとえば、第2のネットワーク事業者に関連する第2の基地局は、RTS送信期間1265-2の間にRTSを送信することができる。第2のチャネル上で、第1のネットワーク事業者に関連する第1の基地局は、ギャップ期間1270-3の間に第2の基地局のRTS/CTS交換の検出を試みることができる。同様に、CCAスロット1255-2の間に第1のチャネル上で、第1の基地局が第2のチャネル上でRST/CTS交換をリスン処理することを可能にするためにギャップ期間1265-4が確保され得る。
【０１１８】
図12Bに関して、第1の基地局がCCAスロット1255-1の間にRTSを送信しないとき(かつ/または、第1の基地局および第2の基地局がCTS応答を検出しないとき)、および第2の基地局がCCAスロット1255-2の間にRTSを送信するとき(かつ、第1の基地局および第2の基地局がCTS応答を検出するとき)、第2の基地局は、通信のために第1のチャネルおよび/または第2のチャネルを使用することを判定し得る。この場合、DLスロット1260-1および1260-2の間、第2のネットワーク事業者(たとえば、第2の基地局)は、第1のチャネルおよび第2のチャネルを使用して、許可期間1275-1および1275-2を使用して許可を送信し、通信期間1280-1および1280-2を使用して通信すること(たとえば、データを通信すること)ができる。
【０１１９】
上記に示したように、図12Aおよび図12Bは、単なる一例として提供されている。他の例が可能であり、図12Aおよび図12Bに関して説明したことと異なる場合がある。たとえば、図12Aおよび図12Bを参照しながら説明した協調フレームワークは、単に例示のためである。CCAスロット1210またはCCAスロット1255の数、持続時間、およびロケーションは異なる場合がある。また、ネットワーク事業者の数量およびその優先度は異なる場合がある。
【０１２０】
図13は、媒体アクセスのためにFDMを使用し、完全にまたは部分的に同期されたネットワーク事業者との媒体共有をサポートするためのタイミング図1300の一例を示す。図13に示すように、例示的なタイミング図1300は、第1のチャネル、第2のチャネル、および第3のチャネルに対する送信機会(TXOP)1305と、CCAスロット1310-1、1310-2、および1310-3のセットとを含む。
【０１２１】
(たとえば、図1、図2、図6、図7、もしくは図10の基地局105、図3のワイヤレスデバイス305、図4のワイヤレスデバイス405、図6のデバイス605、または図7のデバイス705に対応し得る)第1のネットワーク事業者、第2のネットワーク事業者、および第3のネットワーク事業者に関連する基地局のグループは、第1のチャネル、第2のチャネル、および第3のチャネルを識別することができる。第1のネットワーク事業者は、第1のチャネルに関する最高優先度に関連付けられ、第2のネットワーク事業者は、第1のチャネルに関する次に最高の優先度に関連付けられ、第3のネットワーク事業者は、第1のチャネルに関する次に最高の優先度に関連付けられる。同様に、第2のネットワーク事業者は、第2のチャネルに関する最高優先度に関連付けられ、第3のネットワーク事業者は、第3のチャネルに関する最高優先度に関連付けられる。図13に示す例では、基地局は、複数のチャネルを同時に送信および/またはリスン処理することができない。これは、たとえば、第1のチャネル、第2のチャネル、および第3のチャネルが共通周波数帯域を共有するときに生じ得る。
【０１２２】
図13にさらに示すように、CCAスロット1310-1の間に第1のチャネル上で、第1のネットワーク事業者(すなわち、第1のネットワーク事業者に関連する第1の基地局)がプリアンブルを送信するためにプリアンブル送信期間1320-1が確保され、第2のネットワーク事業者(すなわち、第2のネットワーク事業者に関連する第2の基地局)および第3のネットワーク事業者(すなわち、第3のネットワーク事業者に関連する第3の基地局)が、第1のネットワーク事業者が第1のチャネルに関する最高優先度を有することに少なくとも部分的に基づいて、プリアンブルを検出するためにギャップ期間1325-1が確保され得る。示すように、CCAスロット1310-1の間に、第2のチャネルおよび第3のチャネル上で、第2の基地局および第3の基地局が第1のチャネル上で第1の基地局からのプリアンブルをリスン処理することを可能にするために、ギャップ期間1325-2およびギャップ期間1325-3がそれぞれ確保され得る。第1のネットワーク事業者に関連する第1の基地局が、ギャップ期間1325-1の間に第2の基地局および第3の基地局によって検出されるプリアンブルをプリアンブル送信期間1320-1の間に送信すると仮定する。この場合、基地局のグループは、第1のネットワーク事業者がTXOP1305の間に通信のために第1のチャネルを使用することになっていることを判定し、第2のチャネルに移ってTXOP1305に対する第2のチャネルの使用を判定することができる。
【０１２３】
図13にさらに示すように、CCAスロット1310-2の間に第2のチャネル上で、第2のネットワーク事業者がプリアンブルを送信するためにプリアンブル送信期間1320-2が確保され得、第1のネットワーク事業者および第3のネットワーク事業者がプリアンブルを検出するためにギャップ期間1325-4が確保され得る。示すように、CCAスロット1310-2の間に、第1のチャネルおよび第3のチャネル上で、第1の基地局および第3の基地局が第2のチャネル上で第2の基地局からのプリアンブルをリスン処理することを可能にするためにギャップ期間1325-5およびギャップ期間1325-6がそれぞれ確保され得る。第2のネットワーク事業者に関連する第2の基地局が、ギャップ期間1325-4の間に第1の基地局および第2の基地局によって検出されるプリアンブルをプリアンブル送信期間1320-2の間に送信すると仮定する。この場合、基地局のグループは、第2のネットワーク事業者がTXOP1305の間に通信のために第2のチャネルを使用することになっていることを判定し、第3のチャネルに移って、TXOP1305に対する第3のチャネルの使用を判定することができる。
【０１２４】
図13にさらに示すように、CCAスロット1310-3の間に第3のチャネル上で、第3のネットワーク事業者がプリアンブルを送信するためにプリアンブル送信期間1320-3が確保され得、第1のネットワーク事業者および第2のネットワーク事業者がプリアンブルを検出するためにギャップ期間1325-7が確保され得る。示すように、CCAスロット1310-3の間に、第1のチャネルおよび第2のチャネル上で、第1の基地局および第2の基地局が第3のチャネル上で第3の基地局からのプリアンブルをリスン処理することを可能にするためにギャップ期間1325-8およびギャップ期間1325-9がそれぞれ確保され得る。第3のネットワーク事業者に関連する第3の基地局がプリアンブル送信期間1320-3の間にプリアンブルを送信せず、その結果、ギャップ期間1325-7の間にプリアンブルが第1の基地局および第2の基地局によって検出されないと仮定する。この場合、基地局のグループは、第3のネットワーク事業者がTXOP1305の間に通信のために第3のチャネルを使用しないことになっていると判定し、次に最高の優先度のネットワーク事業者(たとえば、第1のネットワーク事業者)がTXOP1305の間に通信のために第3のチャネルを使用する意図を示すためのおよび/または第3のチャネルを使用するためのプリアンブルを送信することを可能にするために第3のチャネル上に残ることができる。
【０１２５】
図13にさらに示すように、CCAスロット1310-4の間に第3のチャネル上で、第3のネットワーク事業者の後に第3のチャネルに関して次に最高の優先度を有する第1のネットワーク事業者がプリアンブルを送信するためにプリアンブル送信期間1320-4が確保され得る。第2の基地局および第3の基地局がプリアンブルを検出するためにギャップ期間1325-10が確保され得る。示すように、CCAスロット1310-4の間に、第1のチャネルおよび第2のチャネル上で、第2の基地局および第3の基地局が第3のチャネル上で第1の基地局からのプリアンブルをリスン処理することを可能にするためにギャップ期間1325-11およびギャップ期間1325-12がそれぞれ確保され得る。第1のネットワーク事業者に関連する第1の基地局が、ギャップ期間1325-10の間に第2の基地局および第3の基地局によって検出されるプリアンブルをプリアンブル送信期間1320-4の間に送信すると仮定する。この場合、基地局のグループは、第1のネットワーク事業者がTXOP1305の間に通信のために第3のチャネルを使用することになっていると判定する。
【０１２６】
上記に示したように、図13は、単なる一例として提供されている。他の例が可能であり、図13に関して説明したことと異なる場合がある。たとえば、図13を参照しながら説明した協調フレームワークは、単に例示のためである。CCAスロット1310の数、持続時間、およびロケーションは異なる場合がある。また、ネットワーク事業者の数量およびその優先度は異なる場合がある。
【０１２７】
図14は、ワイヤレス通信の方法のフローチャート1400である。この方法は、(たとえば、図1、図2、図6、図7、もしくは図10の基地局105、図3のワイヤレスデバイス305、図4のワイヤレスデバイス405、図6のデバイス605、図7のデバイス705、または本明細書で説明する他のデバイスもしくは装置に対応し得る)基地局によって実行され得る。追加または代替として、この方法は、(たとえば、図1、図2、図7、もしくは図10のUE115、図3のワイヤレスデバイス305、図4のワイヤレスデバイス405、図6のデバイス605、図7のデバイス705、または本明細書で説明する他のデバイスもしくは装置に対応し得る)UEによって実行され得る。たとえば、フローチャート1400の動作は、図3〜図7を参照しながら説明したような通信マネージャによって実行され得る。
【０１２８】
1410において、基地局は、複数のネットワーク事業者によって共有される共有無線周波数スペクトル帯域内の複数のチャネルを識別することができる。たとえば、基地局は、複数の異なる周波数帯域に関連する複数のチャネルを識別することができる。追加または代替として、基地局は、1つまたは複数の共通周波数帯域に関連する複数のチャネルを識別することができる。いくつかの態様では、基地局は、UEなど、他のデバイスからの情報の受信に少なくとも部分的に基づいて複数のチャネルを識別することができる。いくつかの態様では、基地局は、複数のチャネルに対する複数の優先度を識別することができる。たとえば、基地局は、複数のチャネルの各チャネルに対する基地局に対応する、複数のネットワーク事業者のあるネットワーク事業者の優先度を判定することができる。
【０１２９】
1420において、基地局は、複数のチャネル内の第1のチャネルを識別することができ、複数のネットワーク事業者のうちの第1のネットワーク事業者は、複数のネットワーク事業者のうちの第2のネットワーク事業者に優先して第1のチャネルを使用する優先度を有する。たとえば、第1のチャネルは、第1のネットワーク事業者用の1次チャネルとして割り当てられてよい。いくつかの態様では、第2のネットワーク事業者に対する第1のネットワーク事業者の優先度は、複数のネットワーク事業者によって折衝され得る。いくつかの態様では、第2のネットワーク事業者に対する第1のネットワーク事業者の優先度は、基地局、他の基地局、UE、SAS、基地局コントローラなど、デバイスによって自律的に割り振られてよい。いくつかの態様では、第2のネットワーク事業者に対する第1のネットワーク事業者の優先度は、ネットワークオペレーティングエンティティコーディネータによって割り当てられてよい。いくつかの態様では、基地局は、A-INT期間の間に第1のチャネルを使用してSRS信号を送信することができる。たとえば、基地局が、UEに対応するネットワーク事業者が第1のチャネルに対する1次ネットワーク事業者であると判定するとき、基地局は、競合せずにA-INT期間の間に送信することができる。
【０１３０】
1430において、基地局は、複数のチャネル内の第2のチャネルを識別することができ、第2のネットワーク事業者は、第1のネットワーク事業者に優先して第2のチャネルを使用する優先度を有する。たとえば、第2のチャネルは、第1のネットワーク事業者用の2次チャネルとして割り当てられてよい。いくつかの態様では、第2のチャネルは、第2のネットワーク事業者用の1次チャネルとして割り当てられてよい。いくつかの態様では、第2のチャネルは、第2のネットワーク事業者用の2次チャネル、第1のネットワーク事業者用の2次チャネル、および第3のネットワーク事業者用の1次チャネルとして割り当てられてよい。
【０１３１】
いくつかの態様では、基地局は、第2のチャネルのTXOPの間隔のセットの間に、複数のネットワーク事業者のうちの1つまたは複数の他のネットワーク事業者に関連する通信をリスン処理することができる。間隔のセットは、送信期間とギャップ期間とを含み得る。たとえば、基地局は、ギャップ期間の間に、第2のネットワーク事業者(たとえば、第2のネットワーク事業者に関連する基地局)が第2のチャネルを使用する意図を示すためのプリアンブルまたはRTS/CTS交換を送信/受信するのをリスン処理することができる。TXOPの間隔のセットのサブセットは、第2のチャネルに対する複数のネットワーク事業者の優先度のセットに少なくとも部分的に基づいて順序付けられてよい。たとえば、プリアンブルを送信するために第1の間隔を第2のネットワーク事業者に割り当てることができ、第1の間隔が第2のネットワーク事業者によって使用されない場合、プリアンブルを送信するために第2の間隔を第1のネットワーク事業者に割り当てることができる。
【０１３２】
いくつかの態様では、基地局は、第2のチャネルに対する第1のネットワーク事業者の優先度に対応する間隔にわたって待機することができ、待機している間に、1つまたは複数の他のネットワーク事業者に関連する通信をリスン処理することができる。いくつかの態様では、基地局は、優先度のセットのうち、第2のチャネルに対する第1のネットワーク事業者の優先度に対応する特定の間隔の間に送信することができる。たとえば、基地局は、第2のチャネル上の第1のネットワーク事業者の優先度に少なくとも部分的に基づいて、第2のチャネル上で第1のネットワーク事業者によるプリアンブル送信のために割り振られた間隔の間にプリアンブルを送信することができる。いくつかの態様では、基地局はリスン処理と同時に送信することができる。たとえば、基地局は、(たとえば、第1のチャネルおよび第2のチャネルが異なる周波数帯域に関連付けられるとき)第2のチャネル上でリスン処理すると同時に第1のチャネル上で送信することができる。いくつかの態様では、基地局は、複数のネットワーク事業者が複数のチャネルのチャネルのセット(たとえば、第1のチャネル)上で無音である期間の間にリスン処理することができる。たとえば、基地局は、複数のネットワーク事業者が第1のチャネルのギャップ期間の間に無音である間に、第2のチャネル上でリスン処理することができる。いくつかの態様では、基地局は、第2のチャネルとの同期をリスン処理する間に、第2のチャネルに対するタイミングを判定することができる。
【０１３３】
1440において、基地局は、第1のチャネルまたは第2のチャネルのうちの少なくとも1つを使用して、第1のネットワーク事業者に関連するワイヤレスノードと通信することができる。たとえば、基地局は、第1のチャネルを使用して、第1のネットワーク事業者が特定のTXOPの間に第1のチャネルに対して第2のネットワーク事業者よりも高い優先度を有することに少なくとも部分的に基づいて、第2のネットワーク事業者が第1のチャネルを使用する意図を示すのを待機せずに、通信することができる。同様に、基地局は、第2のネットワーク事業者が特定のTXOPの間に通信のために第2のチャネルを使用する意図を示すために割り振られた時間期間の後で、第2のチャネルを使用して通信することができる。
【０１３４】
いくつかの態様では、基地局は、同期情報、システム情報、ページング情報、ランダムアクセス情報などの制御情報を通信することができる。追加または代替として、基地局は、第1のチャネルまたは第2のチャネルのうちの少なくとも1つを使用しデータをワイヤレスノードに通信することができる。追加または代替として、基地局は、データをワイヤレスノードに通信する意図の指示を通信することができる。たとえば、基地局は、基地局がデータを送信するために第1のチャネルを利用するか、または第2のチャネルを利用するかを示すためのプリアンブルまたはRTSを通信することができる。
【０１３５】
いくつかの態様では、基地局は、第2のチャネルのTXOPの間隔のセットの間に1つまたは複数のネットワーク事業者からの通信の不在の判定に少なくとも部分的に基づいて通信することができる。この場合、基地局は、第2のチャネルのTXOPの間隔の他のセットの間に通信することができる。いくつかの態様では、基地局は、他のネットワーク事業者が通信のために第2のチャネルのTXOPを使用しないことになることを示す、第2のネットワーク事業者など、第2のチャネルに対してより高い優先度を有する他のネットワーク事業者からのシグナリングの識別に少なくとも部分的に基づいて通信することができる。いくつかの態様では、基地局は、第2のチャネルのTXOPの間隔のセットの間に1つまたは複数の他のネットワーク事業者のうちの少なくとも1つからの通信の存在の判定に少なくとも部分的に基づいて(たとえば、第2のチャネルを使用した)通信を控えることができる。いくつかの態様では、基地局は、他のネットワーク事業者が通信のために第2のチャネルのTXOPを使用することになることを示す、第2のネットワーク事業者など、第2のチャネルに対してより高い優先度を有する他のネットワーク事業者からのシグナリングの識別に少なくとも部分的に基づいて通信を控えることができる。
【０１３６】
いくつかの態様では、基地局は、第1のチャネルまたは第2のチャネルのうちの少なくとも1つを使用して通信が生じることになることを(たとえば、第1のチャネルに対する第2のネットワーク事業者など、第1のネットワーク事業者よりも低い通信優先度を有する)複数のネットワーク事業者のうちの他のネットワーク事業者に示すために通信することができる。いくつかの態様では、基地局は、第1のチャネルまたは第2のチャネルのうちの少なくとも1つを使用して通信が生じないことになることを、(たとえば、第1のチャネルに対する第2のネットワーク事業者など、第1のネットワーク事業者よりも低い通信優先度を有する)複数のネットワーク事業者のうちの他のネットワーク事業者に示すために通信することができる。
【０１３７】
上記に示したように、図14は、単なる一例として提供されている。他の例が可能であり、図14に関して説明したことと異なる場合がある。開示したプロセス/フローチャートにおけるブロックの特定の順序または階層は、手法の例の例示である。設計選好に基づいて、プロセス/フローチャートにおけるブロックの特定の順序または階層が並べ替えられてもよい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１３８】
図15は、ワイヤレス通信の方法のフローチャート1500である。この方法は、(たとえば、図1、図2、図6、図7、もしくは図10の基地局105、図3のワイヤレスデバイス305、図4のワイヤレスデバイス405、図6のデバイス605、図7のデバイス705、または本明細書で説明する他のデバイスもしくは装置に対応し得る)基地局によって実行され得る。追加または代替として、この方法は、(たとえば、図1、図2、図7、もしくは図10のUE115、図3のワイヤレスデバイス305、図4のワイヤレスデバイス405、図6のデバイス605、図7のデバイス705、または本明細書で説明する他のデバイスもしくは装置に対応し得る)UEによって実行され得る。たとえば、フローチャート1500の動作は、図3〜図7を参照しながら説明したような通信マネージャによって実行され得る。
【０１３９】
1510において、基地局は、複数のチャネルのうちの第1のチャネルを識別することができ、複数のチャネルは、共有無線周波数スペクトル帯域内で複数のネットワーク事業者によって共有され、第1のネットワーク事業者は、複数のネットワーク事業者のうちの第2のネットワーク事業者に優先して第1のチャネルを使用する優先度を有する。たとえば、第1のチャネルは、第1のネットワーク事業者用の1次チャネルとして割り当てられてよい。いくつかの態様では、基地局は第1のネットワーク事業者に関連付けられ得る。いくつかの態様では、第1のネットワーク事業者は、ネットワークオペレーティングエンティティコーディネータによって第1のチャネルに対する複数の優先度の最高優先度として割り当てられる。
【０１４０】
1520において、基地局は、複数のチャネルのうちの第2のチャネルを識別することができ、第2のネットワーク事業者は、第1のネットワーク事業者に優先して第2のチャネルを使用する優先度を有する。たとえば、第2のチャネルは、第1のネットワーク事業者用の2次チャネルとして割り当てられてよい。いくつかの態様では、第1のチャネルは第1の帯域に関連付けられ、第2のチャネルは第2の帯域に関連付けられ、第1の帯域は第2の帯域とは異なる。いくつかの態様では、第1のチャネルおよび第2のチャネルは共通バンドを共有する。
【０１４１】
1530において、基地局は、第2のチャネルのTXOPの間隔のセットの間に、複数のネットワーク事業者のうちの1つまたは複数の他のネットワーク事業者に関連するプリアンブル、RTS/CTS交換、またはエネルギーに対応する通信をリスン処理することができる。いくつかの態様では、TXOPの間隔のセットのサブセットは、第2のチャネルに対する複数のネットワーク事業者の優先度のセットに少なくとも部分的に基づいて順序付けられる。いくつかの態様では、基地局は、優先度のセットのうち、第2のチャネルに対する第1のネットワーク事業者の優先度に対応する間隔にわたって待機することができ、第2のチャネルに対する第1のネットワーク事業者の優先度に対応する間隔にわたって待機する間に通信をリスン処理することができる。いくつかの態様では、基地局は、第1のネットワーク事業者の優先度よりも第2のチャネルに対してより高い優先度を有する、複数のネットワーク事業者のうちの他のネットワーク事業者のサブセットに関連する通信をリスン処理することができる。いくつかの態様では、基地局は、複数のネットワーク事業者が複数のチャネルのチャネルのセット上で無音である期間の間にリスン処理することができ、チャネルのセットは第1のチャネルを含む。いくつかの態様では、間隔のセットは、送信期間とギャップ期間とを含む。
【０１４２】
1540において、基地局は、第2のチャネルを使用して、通信のリスン処理に少なくとも部分的に基づいて第1のネットワーク事業者に関連するワイヤレスノードと通信することができる。たとえば、基地局は、特定のTXOPの間に通信のために第2のチャネルを使用する意図を示すために第2のネットワーク事業者に割り振られた時間期間の後で、第2のチャネルを使用して通信することができる。いくつかの態様では、基地局は、優先度のセットのうち、第2のチャネルに対する第1のネットワーク事業者の優先度に対応する特定の間隔の間に送信することができる。いくつかの態様では、基地局は、リスン処理に少なくとも部分的に基づいて、第2のチャネルのTXOPの間隔のセットの間に1つまたは複数の他のネットワーク事業者からの通信の不在を判定することができ、判定に少なくとも部分的に基づいて、第2のチャネルのTXOPの間隔の他のセットの間に通信することができる。いくつかの態様では、基地局は、データをワイヤレスノードに通信すること、データをワイヤレスノードに通信する意図の指示を通信すること等を行うことができる。
【０１４３】
いくつかの態様では、基地局は、リスン処理に少なくとも部分的に基づいて、第2のチャネルに対してより高い優先度を有する、1つまたは複数の他のネットワーク事業者のうちの他のネットワーク事業者からのシグナリングを識別することであって、シグナリングが、他のネットワーク事業者が通信のために第2のチャネルのTXOPの間隔の他のセットを使用しないことになることを示す、識別することを行うことができ、シグナリングに少なくとも部分的に基づいて、第2のチャネルのTXOPの間隔の他のセットの間に通信することができる。いくつかの態様では、基地局は、第2のチャネルを使用して通信が生じることになることを、複数のネットワーク事業者のうちの他のネットワーク事業者に示すことができ、他のネットワーク事業者は、第2のチャネルに対して第1のネットワーク事業者よりも低い優先度を有する。いくつかの態様では、基地局は、第1のチャネルを使用して通信が生じないことになることを、複数のネットワーク事業者のうちの他のネットワーク事業者に示すことができ、他のネットワーク事業者は、第1のチャネルに対して第1のネットワーク事業者よりも低い優先度を有する。
【０１４４】
上記に示したように、図15は、単なる一例として提供されている。他の例が可能であり、図15に関して説明したことと異なる場合がある。開示したプロセス/フローチャートにおけるブロックの特定の順序または階層は、手法の例の例示である。設計選好に基づいて、プロセス/フローチャートにおけるブロックの特定の順序または階層が並べ替えられてもよい。さらに、いくつかのブロックは組み合わされるかまたは省略される場合がある。添付の方法クレームは、様々なブロックの要素を例示的な順序で提示したものであり、提示された特定の順序または階層に限定されるものではない。
【０１４５】
前の説明は、いかなる当業者も本明細書に記載された様々な態様を実践することを可能にするために提供される。これらの態様に対する様々な修正は当業者には容易に明らかであり、本明細書において規定された一般的原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「1つまたは複数の」を意味するものである。「例示的」という語は、本明細書では「例、事例、または例示として機能すること」を意味するために使用される。本明細書で「例示的」として説明するいかなる態様も、必ずしも他の態様よりも好ましいまたは有利なものと解釈されるべきではない。別段特に述べられない限り、「いくつかの」という用語は、1つまたは複数を指す。「A、B、またはCのうちの少なくとも1つ」、「A、B、およびCのうちの少なくとも1つ」、「A、B、C、またはそれらの任意の組合せ」などの組合せは、A、B、および/またはCの任意の組合せを含み、複数のA、複数のB、または複数のCを含んでもよい。具体的には、「A、B、またはCのうちの少なくとも1つ」、「A、B、およびCのうちの少なくとも1つ」、「A、B、C、またはそれらの任意の組合せ」などの組合せは、Aのみ、Bのみ、Cのみ、AおよびB、AおよびC、BおよびC、またはAおよびBおよびCであってもよく、任意のそのような組合せは、A、B、またはCのうちの1つまたは複数のメンバーを含んでもよい。当業者にとって周知の、または後に周知となる、本開示全体を通じて説明した様々な態様の要素に対するすべての構造的および機能的均等物が、参照により本明細書に明確に組み込まれ、特許請求の範囲によって包含されることが意図される。その上、本明細書で開示されたものは、そのような開示が特許請求の範囲において明示的に列挙されているかどうかにかかわらず、公に供されることは意図されていない。クレーム要素は、要素が「ための手段」という句を使用して明確に記載されていない限り、ミーンズプラスファンクションとして解釈されるべきではない。
【符号の説明】
【０１４６】
100  ワイヤレス通信システム
105  基地局
105-a-1  基地局
105-a-2  基地局
105-b-1  基地局
105-b-2  基地局
110  地理的カバレージエリア
115  ユーザ機器(UE)
115-a-1  UE
115-a-2  UE
115-b-1  UE
115-b-2  UE
125  通信リンク
130  コアネットワーク
132  バックホールリンク
134  バックホールリンク
200  ワイヤレス通信システム
205  通信リンク
210  通信リンク
215  通信リンク
220  カバレージエリア
225  カバレージエリア
300  ブロック図
305  ワイヤレスデバイス
310  受信機
315  通信マネージャ
320  送信機
400  ブロック図
405  ワイヤレスデバイス
410  受信機
415  通信マネージャ
420  送信機
425  共有スペクトル構成要素
435  チャネル識別構成要素
445  通信構成要素
500  ブロック図
515  通信マネージャ
520  共有スペクトル構成要素
525  チャネル識別構成要素
530  通信構成要素
535  ネットワークリスン処理構成要素
540  遅延構成要素
545  判定構成要素
550  シグナリング識別構成要素
600  システム
605  デバイス
610  バス
615  UE通信マネージャ
620  プロセッサ
625  メモリ
630  ソフトウェア
635  トランシーバ
640  アンテナ
645  I/Oコントローラ
700  システム
705  デバイス
710  バス
715  基地局通信マネージャ
720  プロセッサ
725  メモリ
730  ソフトウェア
735  トランシーバ
740  アンテナ
745  ネットワーク通信マネージャ
750  基地局マネージャ
800  図
802  制御部分
804  DLデータ部分
806  共通UL部分
900  図
902  制御部分
904  ULデータ部分
906  共通UL部分
1000  流れ図
1100  タイミング図
1100'  タイミング図
1105  送信機会(TXOP)
1110  CCAスロット
1110-1  CCAスロット
1110-2  CCAスロット
1115  DLスロット
1120-1  プリアンブル送信期間
1120-2  プリアンブル送信期間
1125-1  ギャップ期間、第1のギャップ期間
1125-2  ギャップ期間、第2のギャップ期間
1130  許可期間
1135  通信期間
1150  TXOP
1155  RTS/CTS交換期間
1155-1  CCAスロット
1155-2  CCAスロット
1155-3  CCAスロット
1160  DLスロット
1165-1  RTS送信期間
1165-2  RTS送信期間
1165-3  RTS送信期間
1170-1  第1のギャップ期間
1170-2  第2のギャップ期間
1170-3  第3のギャップ期間
1175  許可期間
1180  通信期間
1200  タイミング図
1200'  タイミング図
1205-1  送信機会(TXOP)
1205-2  送信機会(TXOP)
1210  CCAスロット
1210-1  CCAスロット
1210-2  CCAスロット
1215-1  DLスロット
1215-2  DLスロット
1220-1  プリアンブル送信期間
1220-2  プリアンブル送信期間
1225-1  ギャップ期間
1225-2  ギャップ期間
1225-3  ギャップ期間
1225-4  第2のギャップ期間
1230-a  許可期間
1230-2  許可期間
1235-1  通信期間
1235-2  通信期間
1250  送信機会(TXOP)
1255  CCAスロット
1255-1  CCAスロット
1255-2  CCAスロット
1260-1  DLスロット
1260-2  DLスロット
1265-1  RTS送信期間、第1のRTS送信
1265-2  RTS送信期間
1265-4  ギャップ期間
1270-1  ギャップ期間
1270-2  第2のギャップ期間
1270-3  ギャップ期間
1275-1  許可期間
1275-2  許可期間
1280-1  通信期間
1280-2  通信期間
1300  タイミング図
1305  送信機会(TXOP)
1310  CCAスロット
1310-1  CCAスロット
1310-2  CCAスロット
1310-3  CCAスロット
1310-4  CCAスロット
1320-1  プリアンブル送信期間
1320-2  プリアンブル送信期間
1320-3  プリアンブル送信期間
1320-4  プリアンブル送信期間
1325-1  ギャップ期間
1325-2  ギャップ期間
1325-3  ギャップ期間
1325-4  ギャップ期間
1325-5  ギャップ期間
1325-6  ギャップ期間
1325-7  ギャップ期間
1325-8  ギャップ期間
1325-9  ギャップ期間
1325-10  ギャップ期間
1325-11  ギャップ期間
1325-12  ギャップ期間
1400  フローチャート
1500  フローチャート
【図１】
2019533942.tif 000003
【図２】
2019533942.tif 000004
【図３】
2019533942.tif 000005
【図４】
2019533942.tif 000006
【図５】
2019533942.tif 000007
【図６】
2019533942.tif 000008
【図７】
2019533942.tif 000009
【図８】
2019533942.tif 000010
【図９】
2019533942.tif 000011
【図１０】
2019533942.tif 000012
【図１１Ａ】
2019533942.tif 000013
【図１１Ｂ】
2019533942.tif 000014
【図１２Ａ】
2019533942.tif 000015
【図１２Ｂ】
2019533942.tif 000016
【図１３】
2019533942.tif 000017
【図１４】
2019533942.tif 000018
【図１５】
2019533942.tif 000019
【国際調査報告】
2019533942.tif 000020
2019533942.tif 000021